(57)【要約】  本開示は、無線信号の送受信が可能な主接続無線（ＰＣＲ）と、アクセスポイント（ＡＰ）によって装置に割り当てられた第１のＷＵＲチャネル上でＷＵＲ信号を受信するように構成される、ウェイクアップ無線（ＷＵＲ）信号を受信することが可能な低電力ウェイクアップ受信機（ＷＵＲｘ）と、第１のＷＵＲチャネルが第２のＷＵＲチャネルと異なるときに、ＡＰによってブロードキャストＷＵＲチャネルとして指定された第２のＷＵＲチャネルに切り替えるようにＷＵＲｘを構成するようにプログラムされたＷＵＲチャネルスケジューラと、を備え、ＷＵＲｘがＡＰからスケジュールされたＷＵＲビーコンフレームを受信するように、チャネルの切り替えが時間内に行われる、通信装置を提供する。
2021510953.tif 000002
【特許請求の範囲】
【請求項１】
通信装置であって、
動作中に、アクセスポイント（ＡＰ：Ａｃｃｅｓｓ  Ｐｏｉｎｔ）から、ＷＵＲビーコンフレームの送信のために前記ＡＰによって使用される第１のＷＵＲチャネルを示すＷＵＲ動作エレメントを受信し、さらに、ＷＵＲウェイクアップフレームの前記通信装置への送信のために前記ＡＰによって使用される第２のＷＵＲチャネルを示すＷＵＲモードエレメントを受信する、主接続無線（ＰＣＲ：Ｐｒｉｍａｒｙ  Ｃｏｎｎｅｃｔｉｖｉｔｙ  Ｒａｄｉｏ）回路と、
動作中に、前記第２のＷＵＲチャネルでＷＵＲウェイクアップフレームを聴取するウェイクアップ受信機（ＷＵＲｘ：Ｗａｋｅ  Ｕｐ  Ｒｅｃｅｉｖｅｒ）回路と、
動作中に、前記ＷＵＲｘを前記第２のＷＵＲチャネルから前記第１のＷＵＲチャネルに時間内に切り替えて、前記ＡＰから、ＴＷＢＴＴ（目標ＷＵＲビーコン送信時間）でＷＵＲビーコンフレームを受信するコントローラと、
を備える通信装置。
【請求項２】
前記ＷＵＲ動作エレメントが、ＷＵＲ動作クラスフィールドと、前記第１のＷＵＲチャネルを一緒に示すＷＵＲチャネルフィールドと、を含む、
請求項１に記載の通信装置。
【請求項３】
前記ＷＵＲ動作エレメントが、ビーコンフレームおよびプローブ応答フレームのうちの少なくとも１つに含まれる、
請求項１に記載の通信装置。
【請求項４】
前記ＷＵＲモードエレメントが、ＷＵＲ動作クラスフィールドと、前記第２のＷＵＲチャネルを一緒に示すＷＵＲチャネルフィールドと、を含む、
請求項１に記載の通信装置。
【請求項５】
前記コントローラが、前記第２のＷＵＲチャネルから前記第１のＷＵＲチャネルに切り替えた後、前記ＷＵＲビーコンフレームを受信した後、または前記ＷＵＲビーコンフレームが決定された時間内に受信されなかった場合のいずれかに、前記第１のＷＵＲチャネルから前記第２のＷＵＲチャネルに切り替える、
請求項１に記載の通信装置。
【請求項６】
アクセスポイントであって、
動作中に、ＷＵＲビーコンフレームの送信のために使用される第１のＷＵＲチャネルを示すＷＵＲ動作エレメントを生成し、さらにＷＵＲウェイクアップフレームの送信のために使用される第２のＷＵＲチャネルを示すＷＵＲモードエレメントを生成する、信号生成回路と、
動作中に、前記ＷＵＲ動作エレメントを含む第１のＰＣＲフレームおよび前記ＷＵＲモードエレメントを含む第２のＰＣＲフレームを送信する送信機であって、少なくとも前記第１のＷＵＲチャネルおよび少なくとも１つの第２のＷＵＲチャネルを含む広帯域チャネル上でＷＵＲ  ＦＤＭＡ  ＰＰＤＵを送信するようにさらに構成される、送信機と、を備える、
アクセスポイント。
【請求項７】
前記ＷＵＲ動作エレメントが、ＷＵＲ動作クラスフィールドと、前記第１のＷＵＲチャネルを一緒に示すＷＵＲチャネルフィールドと、を含む、
請求項６に記載のアクセスポイント。
【請求項８】
前記ＷＵＲ動作エレメントが、ビーコンフレームおよびプローブ応答フレームのうちの少なくとも１つに含まれる、
請求項６に記載のアクセスポイント。
【請求項９】
前記ＷＵＲ  ＦＤＭＡ  ＰＰＤＵが、４０ＭＨｚ  ＷＵＲ  ＦＤＭＡ  ＰＰＤＵ、８０ＭＨｚ  ＷＵＲ  ＦＤＭＡ  ＰＰＤＵ、または８０ＭＨｚプリアンブルパンクチャドＷＵＲ  ＦＤＭＡ  ＰＰＤＵであり得る、
請求項６に記載のアクセスポイント。
【請求項１０】
前記ＷＵＲ  ＦＤＭＡ  ＰＰＤＵが、第２のチャネル上に、通信装置宛てのＷＵＲフレームを含み、前記第１のＷＵＲチャネル上にヌル信号を含む、
請求項６に記載のアクセスポイント。
【請求項１１】
前記ヌル信号が、ＷＵＲフレームである、
請求項１０に記載のアクセスポイント。
【請求項１２】
前記ヌル信号が、パディングされている、
請求項１０に記載のアクセスポイント。
【請求項１３】
ＷＵＲ  ＦＤＭＡ  ＰＰＤＵが、前記第１のＷＵＲチャネルおよびすべての第２のＷＵＲチャネル上に同じブロードキャストＷＵＲフレームを含む、
請求項６に記載のアクセスポイント。
【請求項１４】
前記８０ＭＨｚプリアンブルパンクチャドＷＵＲ  ＦＤＭＡ  ＰＰＤＵの送信中に、前記第２のＷＵＲチャネルのいずれかがアイドルでないか、または前記アクセスポイントが、そのチャネル上で聴取する通信装置のために意図される保留中のＷＵＲフレームを有さない場合、前記チャネル上で何も送信されない、
請求項９に記載のアクセスポイント。
【発明の詳細な説明】
【技術分野】
【０００１】
本開示は、概して、通信装置および通信方法に関する。
【背景技術】
【０００２】
ＩＥＥＥ（米国電気電子技術者協会）８０２．１１ｂａタスクグループは現在、ウェイクアップ無線（ＷＵＲ：ｗａｋｅ−ｕｐ  ｒａｄｉｏ）装置の動作に関連する無線通信技術の標準化を進めている。ＷＵＲ装置は、主接続無線（ＰＣＲ：ｐｒｉｍａｒｙ  ｃｏｎｎｅｃｔｉｖｉｔｙ  ｒａｄｉｏ）装置へのコンパニオン無線装置であり、同周波数帯域または異なる周波数帯域でレガシーＩＥＥＥ８０２．１１デバイスと共存する。ＰＣＲは、既存の主流ＩＥＥＥ８０２．１１修正（８０２．１１ａ、８０２．１１ｇ、８０２．１１ｎ、もしくは８０２．１１ａｃ）のいずれか、または他の適用可能な将来の修正（例えば、８０２．１１ａｘ）であってもよい。ＰＣＲが一次無線通信装置として使用される一方、ＷＵＲ装置の目的は、有効なウェイクアップパケットを受信すると、ＰＣＲ装置のスリープからの遷移をトリガすることである。アクティブ通信中のみＰＣＲ装置をオンにし、アイドルリスニング期間中はＰＣＲ装置をオフにしてＷＵＲ装置のみを動作させる。ＷＵＲ装置は、１ミリワット未満のアクティブ受信機消費電力を有すると期待され、ＰＣＲ装置のアクティブ受信機消費電力に比べてはるかに低い。ＷＵＲ装置を有するデバイスは、ＷＵＲデバイスと呼ばれてもよく、ＷＵＲモードは、ＰＣＲがオフの間、ＷＵＲのみが動作している動作モードを指してもよい。８０２．１１ｂａタスクグループは、ＷＵＲ送信の効率をさらに向上させるために、現在、複数のチャネルでのＷＵＲ送信および周波数分割多元接続（ＦＤＭＡ：Ｆｒｅｑｕｅｎｃｙ  Ｄｉｖｉｓｉｏｎ  Ｍｕｌｔｉｐｌｅ  Ａｃｃｅｓｓ）技術を研究している。
【０００３】
ＩＥＥＥ８０２．１１ｂａの修正は、主に通信デバイスが通常バッテリーで電源供給されるアプリケーションおよびモノのインターネット（ＩＯＴ：Ｉｎｔｅｒｎｅｔ−ｏｆ−Ｔｈｉｎｇｓ）の使用例を対象としており、合理的に低遅延を維持しながらバッテリー寿命を延長することが非常に望ましい。多数のＩＯＴデバイスが単一のアクセスポイント（ＡＰ：Ａｃｃｅｓｓ  Ｐｏｉｎｔ）によってサービスされる必要がある場合、複数のチャネルでのＷＵＲ送信およびＦＤＭＡ送信は、利用可能な周波数リソースをより効率的に利用することによって、複数のデバイスを迅速にウェイクアップさせる性能を大幅に向上させるのに役立ち得る。
【先行技術文献】
【非特許文献】
【０００４】
【非特許文献１】ＩＥＥＥ  Ｓｔｄ  ８０２．１１−２０１６
【非特許文献２】ＩＥＥＥ８０２．１１−１７／０５７５ｒ８，Ｓｐｅｃｉｆｉｃａｔｉｏｎ  Ｆｒａｍｅｗｏｒｋ  ｆｏｒ  ＴＧｂａ，Ｎｏｖｅｍｂｅｒ  ２０１７
【非特許文献３】ＩＥＥＥ８０２．１１−１７／００１６５ｒ２，ＷＵＲ  Ｃｈａｎｎｅｌ  ｉｓｓｕｅ
【非特許文献４】ＩＥＥＥ８０２．１１−１７／１６２５ｒ１，Ｅｆｆｉｃｉｅｎｔ  ＦＤＭＡ  Ｔｒａｎｓｍｉｓｓｉｏｎ  Ｓｃｈｅｍｅｓ  ｆｏｒ  ＷＵＲ  ＷＬＡＮ
【非特許文献５】ＩＥＥＥ８０２．１１−１７／１４２６ｒ１，ＷＵＰ  ＣＣＡ  Ｐｒｏｂｌｅｍ
【発明の概要】
【発明が解決しようとする課題】
【０００５】
複数チャネルでのＷＵＲ送信とＦＤＭＡ  ＷＵＲ送信は、ＷＵＲ信号の送信効率を向上させる有効な方法である。しかしながら、複数チャネルでのＷＵＲ送信およびＦＤＭＡ  ＷＵＲ送信は、その実践的な実装のために取り組むべき様々な問題をもたらす。
【０００６】
本開示の非限定的かつ例示的な一実施形態は、ＷＵＲ信号のＦＤＭＡ送信だけでなく、複数のチャネル上でＷＵＲ送信を実際に実装するための手段を提供する。
【０００７】
一般的な一態様では、本明細書に開示される技術は、動作中に、アクセスポイント（ＡＰ）から、ＷＵＲビーコンフレームの送信のためにＡＰによって使用される第１のＷＵＲチャネルを示すＷＵＲ動作エレメントを受信し、さらに、ＷＵＲウェイクアップフレームの装置への送信のためにＡＰによって使用される第２のＷＵＲチャネルを示すＷＵＲモードエレメントを受信する、主接続無線（ＰＣＲ）回路と、動作中に、第２のＷＵＲチャネルでＷＵＲウェイクアップフレームを聴取するウェイクアップ受信機（ＷＵＲｘ）回路と、動作中に、ＷＵＲｘを第２のＷＵＲチャネルから第１のＷＵＲチャネルに時間内に切り替えて、ＡＰから、ＴＷＢＴＴでＷＵＲビーコンフレーム（目標ＷＵＲビーコン送信時刻）を受信するコントローラと、を備える、通信装置を特徴とする。
【０００８】
一般的または特定の実施形態は、システム、方法、集積回路、コンピュータプログラム、記憶媒体、またはそれらの任意の選択的組み合わせとして実装され得ることに留意されたい。
【０００９】
本開示に記載の通信装置および通信方法は、複数のチャネルにおけるＷＵＲ送信およびＷＵＲ信号のＦＤＭＡ送信を実際に実装するための手段を提供する。
【００１０】
開示される実施形態の追加の利益および利点は、本明細書および図面から明らかになるであろう。利益および／または利点は、本明細書および図面の様々な実施形態および特徴によって個別に得られてもよく、これらは、そのような利益および／または利点のうちの１つまたは複数を得るためにすべてが提供される必要はない。
【図面の簡単な説明】
【００１１】
【図１】レガシー８０２．１１デバイスおよびＷＵＲ対応デバイスの混合による例示的な異種８０２．１１無線ネットワークを示す。
【図２】８０２．１１ｂａタスクグループで検討されているＷＵＲ  ＰＨＹプロトコルデータユニット（ＰＰＤＵ：ＰＨＹ  Ｐｒｏｔｏｃｏｌ  Ｄａｔａ  Ｕｎｉｔ）のフォーマットを示す。
【図３】低データ速度ＷＵＲ  ＰＰＤＵおよび高データ速度ＷＵＲ  ＰＰＤＵのフォーマットを示す。
【図４】可能性のあるＷＵＲ  ＦＤＭＡ送信方式を示す。
【図５Ａ】第１の実施形態による、無線ネットワークの動作のために使用される様々なパラメータを提供するためにＡＰによって使用されるＷＵＲ動作エレメントを示す。
【図５Ｂ】第１の実施形態による、ＡＰと関連するＷＵＲ  ＳＴＡとの間のＷＵＲ動作に関連するパラメータをネゴシエートするために使用されるＷＵＲモードエレメントを示す。
【図６】第１の実施形態による、ＷＵＲ  ＡＰおよびＷＵＲ  ＳＴＡの様々な能力を示すために使用されるＷＵＲ能力エレメントを示す。
【図７】第１の実施形態による、複数のＷＵＲ動作チャネルが定義されるときのスケジュールされたブロードキャストＷＵＲフレームの送信のための例示的な方式、およびブロードキャストＷＵＲフレームを運ぶために使用されるＷＵＲ  ＰＰＤＵの対応するフォーマットを示す。
【図８】第１の実施形態による、ＷＵＲビーコンフレームのフォーマットを示す。
【図９】複数のＷＵＲ動作チャネルが第１の実施形態によって定義されるときの、スケジュールされていないブロードキャストＷＵＲフレームの送信のための例示的な方式を示す。
【図１０】ＷＵＲ  ＰＰＤＵに含まれるＷＵＲフレームの数が利用可能なＷＵＲチャネルの数未満であるときの、第１の実施形態による、ＷＵＲ  ＰＰＤＵの送信のための例示的な方式を示す。
【図１１】第１の実施形態による、ヌル信号の例示的なフォーマットを示す。
【図１２】第２の実施形態による、複数のＷＵＲ動作チャネルが定義されるときのブロードキャストＷＵＲフレームの送信の代替的な例示的な方式、およびブロードキャストＷＵＲフレームを運ぶために使用されるＷＵＲ  ＰＰＤＵの対応するフォーマットを示す。
【図１３】第２の実施形態による、ヌル信号の代替例のフォーマットを示す。
【図１４】ＷＵＲ  ＰＰＤＵに含まれるＷＵＲフレームの数が利用可能なＷＵＲチャネルの数未満であるときの、第３の実施形態による、ＷＵＲ  ＰＰＤＵの送信の代替的な例示的な方式を示す。
【図１５】ＷＵＲ  ＰＰＤＵに含まれるＷＵＲフレームの数が利用可能なＷＵＲチャネルの数未満であるときの、第４の実施形態による、ＷＵＲ  ＰＰＤＵの送信の代替的な例示的な方式を示す。
【図１６】第５の実施形態による、代替的なＷＵＲ  ＦＤＭＡ送信方式を示す。
【図１７】第５の実施形態による、複数のＷＵＲ動作チャネルが定義されるときのブロードキャストＷＵＲフレームの送信の代替的な例示的な方式、およびブロードキャストＷＵＲフレームを運ぶために使用されるＷＵＲ  ＰＰＤＵの対応するフォーマットを示す。
【図１８】ＷＵＲ  ＰＰＤＵに含まれるＷＵＲフレームの数が利用可能なＷＵＲチャネルの数未満であるときの、第５の実施形態による、ＷＵＲ  ＰＰＤＵの送信の代替的な例示的な方式を示す。
【図１９】ＷＵＲ  ＰＰＤＵに含まれるＷＵＲフレームの数が利用可能なＷＵＲチャネルの数未満であるときの、第６の実施形態による、ＷＵＲ  ＰＰＤＵの送信の代替的な例示的な方式を示す。
【図２０】ＷＵＲチャネルのいくつかでの送信がスキップされるときの、第７の実施形態による、ＷＵＲ  ＰＰＤＵの送信のための例示的な方式を示す。
【図２１】ＷＵＲチャネルのいくつかでの送信がスキップされるときの、第７の実施形態による、ＷＵＲ  ＰＰＤＵの送信の例を示す。
【図２２】第７の実施形態による、複数のＷＵＲ動作チャネルが定義されるときのブロードキャストＷＵＲフレームの送信の代替的な例示的な方式を示す。
【図２３】第７の実施形態による、ＦＤＭＡ送信が使用されるときのＷＵＲ  ＰＰＤＵ帯域幅の信号伝達を示す。
【図２４】開示された送信方式を実装する例示的なＡＰの簡略化されたブロック図である。
【図２５】開示された送信方式を実装する例示的なＡＰの詳細なブロック図である。
【図２６】開示された送信方式を実装する例示的なＷＵＲ  ＳＴＡの簡略化されたブロック図である。
【図２７】開示された送信方式を実装する例示的なＷＵＲ  ＳＴＡの詳細なブロック図である。
【発明を実施するための形態】
【００１２】
本開示は、以下の図および実施形態を利用してよりよく理解することができる。本明細書に記載される実施形態は、単なる例示的な性質であり、本開示の可能な用途および使用のいくつかを説明するために使用され、本明細書に明示的に説明されていない代替的な実施形態に関して本開示を限定するものとみなされるべきではない。
【００１３】
図１は、本開示が適用され得る無線通信ネットワーク１００の例を示す。無線通信は、ＩＥＥＥ８０２．１１などの一般的な無線規格に基づいてよい。無線通信ネットワーク１００は、アクセスポイント（ＡＰ）１１０ならびに、５つのステーション（ＳＴＡ）１２０、１３０、１４０、１５０および１６０を備えてもよい。８０２．１１用語では、ＳＴＡはＡＰおよび非ＡＰデバイスの両方を指し得るが、本開示ではＳＴＡは非ＡＰデバイスのみを指す。ＡＰ１１０には、８０２．１１波形の無線信号（例えば、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））の送受信が可能であり、かつウェイクアップ無線（ＷＵＲ）波形の無線信号（例えば、オンオフキーイング（ＯＯＫ：Ｏｎ−Ｏｆｆ  Ｋｅｙｉｎｇ））の送受信が可能な主接続無線（ＰＣＲ）装置（以下、単に「ＰＣＲ」と称する）１１２を備えている。ＳＴＡ１２０は、８０２．１１信号の送受信が可能なＰＣＲ１２２のみを備えたレガシー８０２．１１装置であり、ＳＴＡ１３０、１４０、１５０および１６０は、ＷＵＲ対応ＳＴＡであり、それぞれＰＣＲ１３２、１４２、１５２および１６２ならびに、それぞれウェイクアップ無線受信機（ＷＵＲｘ）装置（以下、単に「ＷＵＲｘ」と称する）、１３４、１４４、１５４、および１６４を備えている。ＳＴＡ１３０、１４０、１５０および１６０は８０２．１１信号の送受信が可能であり、ＷＵＲ信号の受信も可能である。ＰＣＲ１３２、１４２、１５２および１６２は、アクティブ通信中のみオンしてもよく（ＰＣＲモード）、一方、アイドルリスニング期間中、ＰＣＲはオフされてもよく、ＷＵＲｘ１３４、１４４、１５４および１６４のみが動作してもよい（ＷＵＲモード）。ＳＴＡが既にＡＰ１００に関連付けられている場合、ＡＰ１１０がＷＵＲモードで動作するＳＴＡと通信する必要があるとき、まず、それぞれのＰＣＲをオンにし、ＷＵＲｘをオフに切り替えることによって、ＳＴＡにＰＣＲモードへの遷移を命令するためにウェイクアップ信号を送信し得る。その後、ＡＰおよびＳＴＡは、ＰＣＲを介して通信を実行してもよい。通信が終了すると、ＳＴＡは、ＰＣＲをオフに切り替えてＷＵＲｘをオンにすることによって、ＷＵＲモードに切り替えて戻ることができる。ＡＰ１１０がウェイクアップ信号をＷＵＲ  ＳＴＡのＷＵＲｘに送信する無線チャネルをＷＵＲチャネルと呼ぶことができる。単一のＷＵＲチャネルを使用して、すべてのＷＵＲ  ＳＴＡにウェイクアップ信号を送信してもよいが、ウェイクアップ信号の送信をより効率的にするために、ＡＰ１１０はまた、ＷＵＲ  ＳＴＡに異なるＷＵＲチャネルを割り当ててもよい。例えば、ＷＵＲ  ＳＴＡ１３０および１４０はＷＵＲチャネルＣＨ１に割り当てられ、ＷＵＲ  ＳＴＡ１５０および１６０はＷＵＲチャネルＣＨ２に割り当てられる。
【００１４】
図２は、ＩＥＥＥ８０２．１１ｂａタスクグループで検討されているウェイクアップ信号のフォーマットを示す。ウェイクアップ信号は、ＷＵＲ  ＰＨＹプロトコルデータユニット（ＰＰＤＵ）２００として表され得る。ＷＵＲ  ＰＰＤＵ２００は、２つの異なる部分から構成される。第１の部分は、２０ＭＨｚのレガシー（別名、非ハイスループット（ＨＴ：ｈｉｇｈ−ｔｈｒｏｕｇｈｐｕｔ））８０２．１１プリアンブル２１０およびＢＰＳＫマークと呼ばれる１つの追加のＯＦＤＭシンボル２１８で構成され、これらは２０ＭＨｚチャネル全体を通じて８０２．１１のＯＦＤＭ波形で送信される。第２の部分は、ウェイクアップパケット（ＷＵＰ：ｗａｋｅ−ｕｐ  ｐａｃｋｅｔ）ペイロードとも称され得、２０ＭＨｚチャネル内のより狭いサブチャネル、例えば４ＭＨｚサブチャネル内のＷＵＲ  ＯＯＫ波形で送信されるウェイクアップ信号２２０である。図２には、ウェイクアップ信号２２０として単一のＷＵＰペイロード２２０しか示されていないが、２０ＭＨｚチャネル内の異なる重複しないサブチャネル上で複数の、例えば３つのＷＵＰペイロードが送信される可能性もある。
【００１５】
レガシー８０２．１１プリアンブル２１０は、ＷＵＲ信号を理解していないレガシー８０２．１１デバイスとの共存を提供する。プリアンブル２１０は、ｎｏｎ−ＨＴショートトレーニングフィールド（Ｌ−ＳＴＦ）２１２、ｎｏｎ−ＨＴロングトレーニングフィールド（Ｌ−ＬＴＦ）２１４およびｎｏｎ−ＨＴシグナルフィールド（Ｌ−ＳＩＧ）２１６をさらに備える。Ｌ−ＳＩＧ２１６は、ＷＵＰペイロード２２０の長さに関する情報を含み、レガシー８０２．１１デバイスが、その送信を正しい持続時間延期することを可能にする。バイナリ位相偏移キーイング（ＢＰＳＫ：Ｂｉｎａｒｙ  Ｐｈａｓｅ  Ｓｈｉｆｔ  Ｋｅｙｉｎｇ）で変調された持続時間４マイクロ秒のＢＰＳＫマーク２１８は、Ｌ−ＳＩＧ２１６の直後に送信され、８０２．１１ｎデバイスがＷＵＲ  ＰＰＤＵ２００を８０２．１１ｎパケットとして誤って復号することを防止する。
【００１６】
ＷＵＰペイロード２２０は、実際のウェイクアップ信号を含み、ＷＵＲ同期フィールド（ＷＵＲプリアンブル）２２２およびＷＵＲデータフィールド（ＷＵＲフレーム）２３０を備える。ＷＵＲプリアンブル２２２は、ＷＵＲ同期とも称されてもよく、ＷＵＲフレーム２３０は、ＷＵＲデータとも称されてもよい。ＷＵＲプリアンブル２２２は、自動ゲイン制御（ＡＧＣ：ａｕｔｏｍａｔｉｃ  ｇａｉｎ  ｃｏｎｔｒｏｌ）、タイミング同期、パケット検出などに使用され、ＷＵＲフレーム２３０は制御情報を含む。ＷＵＲフレーム２３０は、さらに、ＭＡＣヘッダ２４０、フレームチェックシーケンス（ＦＣＳ：Ｆｒａｍｅ  ｃｈｅｃｋ  ｓｅｑｕｅｎｃｅ）２５２、およびオプショナルなフレームボディ２５０などの様々なサブフィールドから構成され得る。ＭＡＣヘッダ２４０は、さらに、フレームタイプ２６２、フレームボディ存在ビット２６４、「長さ／その他」フィールド２６６などを指定するフレーム制御フィールド２４２、送信機アドレス、受信機アドレスのうちのいずれかまたはその両方を含むことができるアドレスフィールド２４４、およびＴＤ制御フィールド２４６から構成され得る。ＴＤ制御フィールド２４６は、フレームタイプに応じて異なる制御情報を運ぶために使用され得る。例えば、ＷＵＲビーコンフレームにおいて、ＴＤ制御フィールド２４６は、タイムスタンプフィールドを含んでもよく、一方、ユニキャストＷＵＲフレームにおいて、ＴＤ制御フィールド２４６は、パケット番号などを含んでもよい。ＷＵＲフレーム２３０は、６２．５ｋｂ／ｓの低データ速度（ＬＤＲ）または２５０ｋｂ／ｓの高データ速度（ＨＤＲ）のいずれかを使用して送信され得る。ＷＵＲフレーム２３０に使用されるデータ速度は、ＷＵＲ同期フィールド２２２内の所定のシーケンスによって示される。マンチェスターベースのコードは、ＷＵＲデータ速度の両方に適用され、マルチキャリアオンオフキーイング（ＭＣ−ＯＯＫ）は、両方のＷＵＲデータ速度の変調に使用される。
【００１７】
図３は、低データ速度および高データ速度のＷＵＲ  ＰＰＤＵのフォーマットを示す。ＷＵＲ  ＰＰＤＵ３００は、低データ速度を使用して送信されるＷＵＲフレーム３２０を含む。低データ速度の場合、ＷＵＲ同期フィールド２２２は、３２ビットシーケンスＳ３１０の２つのコピーを連結することによって構成される。ＷＵＲ  ＰＰＤＵ３５０は、高データ速度を使用して送信されるＷＵＲフレーム３７０を含む。高データ速度の場合、ＷＵＲ同期フィールド２２２は、３２ビットシーケンスＳ３１０のビット単位補数である３２ビットシーケンスＳ３６０で構成される。例として、Ｓ３１０は、（１０１００１００１０１１１０１１０００１０１１１００１１１０００）であってもよく、Ｓ３６０は、（０１０１１０１１０１０００１００１１１０１０００１１０００１１１）であってもよい。
【００１８】
図１に示すように、ウェイクアップ信号の送信効率を向上させるために、無線ネットワーク内で複数のＷＵＲチャネルが定義され得る可能性がある。ウェイクアップ信号の送信に複数のＷＵＲチャネルが利用可能である場合、周波数分割多元接続（ＦＤＭＡ）は、ウェイクアップ信号の効率的な送信に利用され得る。図２において、ＷＵＲ  ＰＰＤＵ２００は、２０ＭＨｚチャネル内に単一のウェイクアップ信号２２０を含むことが示される。しかしながら、単一の２０ＭＨｚチャネル内で複数のウェイクアップ信号が含まれ得ることも可能である。これは、２０ＭＨｚチャネル内の２つまたは３つの重複しない４ＭＨｚサブチャネルを定義することによって達成され得る。各サブチャネルは、ウェイクアップ信号を運ぶために使用され得、独立したＷＵＲチャネルとして機能する。図４において、ＷＵＲ  ＰＰＤＵ４００は、ＦＤＭＡ  ＷＵＲ送信方式を使用することによって２０ＭＨｚチャネル内で２つのウェイクアップ信号を同時に含むＷＵＲ  ＰＰＤＵの例である。ウェイクアップ信号４２０は、ＷＵＲ  ＳＴＡ１宛てであってもよく、ウェイクアップ信号４２２は、ＷＵＲ  ＳＴＡ２宛てであってもよい。同様に、ＷＵＲ  ＰＰＤＵ４５０は、ＦＤＭＡ  ＷＵＲ送信方式を使用することによって２０ＭＨｚチャネル内で３つのウェイクアップ信号を同時に含むＷＵＲ  ＰＰＤＵの例である。ウェイクアップ信号４６０はＷＵＲ  ＳＴＡ１宛てであってもよく、ウェイクアップ信号４６２はＷＵＲ  ＳＴＡ２宛てであってもよく、ウェイクアップ信号４６４はＷＵＲ  ＳＴＡ３宛てであってもよい。ＷＵＲ  ＰＰＤＵのＯＦＤＭ部分は、引き続き２０ＭＨｚ全体で送信され、すべてのウェイクアップ信号に共通している。
【００１９】
いくつかの例示的な実施形態は、本開示を詳細に説明するために後述のセクションで詳細に説明される。本開示に従ってスキャンレイテンシを低減するための様々な実施形態は、以下のセクションで詳細に説明される。
【００２０】
（第１の実施形態）
先に述べたように、単一のＷＵＲ動作チャネル（または単にＷＵＲチャネル）を使用して、ＢＳＳ内のすべてのＷＵＲ  ＳＴＡにウェイクアップ信号を送信することができるが、ウェイクアップ信号の送信をより効率的にするために、同じＢＳＳ内で使用するために複数のＷＵＲチャネルを定義することができる。ＡＰは、ＷＵＲ  ＳＴＡの特性に基づいて異なるグループにＷＵＲ  ＳＴＡを分割し、異なるＷＵＲチャネルをＷＵＲ  ＳＴＡの異なるグループに割り当てることができる。複数のＷＵＲチャネルが単一のＢＳＳ内で使用するように定義されるこのようなＷＵＲ動作は、マルチチャネルＷＵＲ動作として知られ得る。マルチチャネルＷＵＲ動作は、ＷＵＲチャネルを定義する様々な方法を使用して実装され得る。１つの方法は、図４に示すように、２０ＭＨｚ８０２．１１チャネルを複数の狭いサブチャネルに分割することを含む。ＷＵＲ  ＳＴＡの観点では、各ＷＵＲ  ＳＴＡのＷＵＲｘは特定のサブチャネル上でのみ聴取するように設定され得るため、２０ＭＨｚ８０２．１１チャネル内の各サブチャネルは独立したＷＵＲチャネルとして作用し、異なるＷＵＲ  ＳＴＡのウェイクアップ信号を運ぶために使用され得る。単一の２０ＭＨｚ８０２．１１チャネルが使用されるため、このようなマルチチャネルＷＵＲ動作は、狭帯域マルチチャネルＷＵＲ動作として知られ得る。
【００２１】
さらに、狭帯域マルチチャネルＷＵＲ動作では、ＦＤＭＡ送信方式を利用することで、同じ２０ＭＨｚ８０２．１１チャネルで複数のウェイクアップ信号を同時に送信してもよい。単一の２０ＭＨｚ８０２．１１チャネルが使用されるため、そのような送信方式は、狭帯域ＦＤＭＡ  ＷＵＲ送信方式として知られ得る。ＡＰが単一のＷＵＲチャネルを使用するか、ＢＳＳ内の複数のＷＵＲチャネルを使用するかどうかは、ＷＵＲ  ＳＴＡの動作に影響を及ぼす可能性がある。例えば、ブロードキャストＷＵＲフレームは、単一のＷＵＲチャネルまたは複数のＷＵＲチャネルのいずれがＢＳＳで使用されているかに応じて異なって送信され得る。同様に、ウェイクアップ信号がＦＤＭＡを使用して送信されるかどうかは、ＷＵＲ  ＳＴＡによるウェイクアップ信号の受信に使用される設定に何らかの影響を及ぼす可能性がある。例えば、２０ＭＨｚ以内のサブチャネルがＷＵＲチャネルとして使用される場合、受信ＷＵＲ  ＳＴＡは、隣接するサブチャネル上のウェイクアップ信号からの干渉を最小限に抑えるために高次フィルタを使用する必要があり得る。図５Ａは、ＡＰがビーコンフレームまたはプローブ応答フレームなどに含んで、そのような情報をアドバタイズすることができるＷＵＲ動作エレメント５００を示す。ＷＵＲ動作フィールド５１０は、ＢＳＳ内のＡＰがＷＵＲ動作のために使用する様々なパラメータを含む。最小ウェイクアップ持続時間フィールド５１２は、デューティサイクル動作中のＷＵＲ  ＳＴＡがＷＵＲｘアウェイク状態のままでなければならない最小持続時間を示す。デューティサイクル周期ユニットフィールド５１４は、ＷＵＲデューティサイクル動作の周期の基本ユニットを示す。ＷＵＲチャネルモードフィールド５１６およびＷＵＲ動作チャネルフィールド５２６は、合わせて、ＢＳＳ内で使用されるＷＵＲチャネルに関連するパラメータを示す。ＷＵＲチャネルモードフィールド５１６のサブフィールドの意味を表５５０に要約する。マルチチャネルビット５１８は、同じＢＳＳ内で使用するために複数のＷＵＲチャネルが定義されている場合は１に設定され、単一のＷＵＲチャネルのみを使用する場合は０に設定される。ウェイクアップ信号の送信にＦＤＭＡ方式を使用する場合、ＦＤＭＡビット５２０は１に設定される。マルチチャネルビット５１８が１に設定されると、ＷＵＲチャネル数フィールド５２２は、ＢＳＳ内でウェイクアップ信号を運ぶために使用される２０ＭＨｚ８０２．１１チャネルの数Ｎを示す。狭帯域ＦＤＭＡ  ＷＵＲ送信方式を使用する場合、Ｎは１に等しい。ブロードキャストチャネル切り替えビット５２４は、ＷＵＲビーコンフレームが単一のＷＵＲチャネル上でのみ送信され、ＷＵＲ  ＳＴＡがブロードキャストＷＵＲ  ＰＰＤＵを受信するためにチャネル切り替えを実行すべきであることを示すように、１に設定される。ＷＵＲ動作チャネルフィールド５２６は、ＢＳＳで定義されたＷＵＲチャネルに関連するパラメータのセットを含み、ウェイクアップ信号を運ぶために使用される２０ＭＨｚ８０２．１１チャネルごとに１セットが使用される。狭帯域ＦＤＭＡ  ＷＵＲ送信方式を使用する場合、２０ＭＨｚ８０２．１１チャネルのみがウェイクアップ信号を運ぶのに使用されるため、１セットのみが含まれる。ＷＵＲ動作クラスフィールド５２８は、ウェイクアップ信号の送信に使用される動作クラスを示し、ＷＵＲチャネルフィールド５３０は、ウェイクアップ信号の送信に使用される２０ＭＨｚ８０２．１１チャネルを示す。ＷＵＲサブチャネルフィールド５３２は、ＡＰによって狭帯域マルチチャネルＷＵＲ動作が使用されている場合にのみ存在し、ＷＵＲチャネルフィールド５３０によって示される２０ＭＨｚ  ８０２．１１チャネル内でウェイクアップ信号を含むように定義されたサブチャネルの数を示す。ＷＵＲビーコン周期フィールド５３４は、ＷＵＲチャネルフィールド５３０が示す２０ＭＨｚ８０２．１１チャネルで送信されるＷＵＲビーコンフレームの周期を示す。ＴＷＢＴＴオフセットフィールド５３６は、ＰＣＲビーコンフレームと、ＷＵＲチャネルフィールド５３０によって示される２０ＭＨｚ８０２．１１チャネル上で送信されるＷＵＲビーコンフレームとの間の送信時刻のオフセットをマイクロ秒単位で示す。ブロードキャストＷＵＲチャネルフィールド５４０は、ブロードキャストチャネル切り替えビット５２４が１に設定されている場合にのみ存在するオプショナルなフィールドであり、ブロードキャストＷＵＲ  ＰＰＤＵを送信するために使用されるＷＵＲチャネルを示す。ブロードキャストＷＵＲ  ＰＰＤＵを送信するために使用されるＷＵＲチャネルは、ＢＳＳのベースＷＵＲチャネルまたはプライマリＷＵＲチャネルとも称され得る。
【００２２】
図５Ｂは、ＡＰと関連付けられたＷＵＲ  ＳＴＡとの間のＷＵＲ動作に関連するパラメータをネゴシエートするために使用されるＷＵＲモードエレメント５６０を示す。ＷＵＲ  ＳＴＡは、ＷＵＲモードエレメント５６０を使用して、ＡＰとのＷＵＲ動作のセットアップを要求し、好ましいオン期間、所望のデューティサイクル周期などのＷＵＲ動作に関連するパラメータをネゴシエートする。ＡＰがＷＵＲ動作のセットアップ要求を承認する場合、ＡＰは、ＷＵＲモードエレメント５６０内のＷＵＲパラメータフィールド５７０を使用して、ＷＵＲ  ＳＴＡに固有のＷＵＲ動作パラメータを通知する。ＷＵＲ  ＩＤフィールド５７２は、ＢＳＳ内のＷＵＲ  ＳＴＡを一意に識別するＷＵＲ識別子を示す。デューティサイクル情報フィールド５７４は、ＷＵＲ  ＳＴＡのデューティサイクルモードに関連するパラメータを示す。ＢＳＳ内で複数のＷＵＲチャネルが使用される場合、異なるＷＵＲ  ＳＴＡが異なるＷＵＲチャネルに割り当てられ得る。ＷＵＲ動作クラスフィールド５７６は、ＷＵＲ  ＳＴＡ宛てのウェイクアップ信号の送信に使用される動作クラスを示し、ＷＵＲチャネルフィールド５７８は、ＷＵＲ  ＳＴＡ宛てのウェイクアップ信号を運ぶのに使用される２０ＭＨｚ８０２．１１チャネルを示す。ＷＵＲサブチャネルフィールド５８０は、狭帯域マルチチャネルＷＵＲ動作がＡＰによって使用される場合にのみ存在し、ＷＵＲ  ＳＴＡに割り当てられた２０ＭＨｚ８０２．１１チャネル内のサブチャネルのインデックスを示す。例えば、図４のＷＵＲ  ＰＰＤＵ４００に示すように２つのサブチャネルが定義されるとき、０は、ウェイクアップ信号４２０を含む上部サブチャネルを示し、１は、ウェイクアップ信号４２２を含む下部サブチャネルを示す。同様に、図４のＷＵＲ  ＰＰＤＵ４５０に示すように３つのサブチャネルが定義されるとき、０は、ウェイクアップ信号４６０を含む上部サブチャネルを示し、１は、ウェイクアップ信号４６２を含む中央サブチャネルを示し、２は、ウェイクアップ信号４６４を含む下部サブチャネルを示す。
【００２３】
図６は、ＷＵＲ関連能力を示すために使用されるＷＵＲ能力エレメント６００を示す。ＷＵＲ能力フィールド６１０は、ＷＵＲ能力に関連する様々なパラメータを含み、フィールドのうちのいくつかはＡＰまたはＷＵＲ  ＳＴＡにのみ有効であり得る。サポート帯域フィールド６１２は、ＷＵＲ動作チャネルのＷＵＲ  ＳＴＡによってサポートされている帯域を示し、ＡＰに対しては予備である。ＰＣＲ遷移遅延フィールド６１４は、ＷＵＲ  ＳＴＡがウェイクアップフレームを受信した後のＷＵＲ  ＳＴＡのドーズ状態からアウェイク状態へのＰＣＲ遷移遅延を示し、ＡＰに対しては予備である。非ゼロ長フレームボディフィールド６１６は、非ゼロ長フレームボディがＷＵＲ  ＳＴＡによってサポートされているかどうかを示し、ＡＰに対しては予備である。ＷＵＲチャネル能力フィールド６２０は、ＷＵＲチャネルに関連する能力を示す。マルチチャネルビット６２２は、ＡＰまたはＷＵＲ  ＳＴＡがマルチチャネルＷＵＲ動作をサポートするかどうかを示す。同様に、ＦＤＭＡビット６２４は、ＡＰまたはＷＵＲ  ＳＴＡがＦＤＭＡ  ＷＵＲ送信方式をサポートするかどうかを示す。ＷＵＲ  ＳＴＡがマルチチャネルＷＵＲ動作をサポートしない場合、デフォルトのＷＵＲチャネル、例えば図４の中央サブチャネル上のウェイクアップ信号４６２でのみウェイクアップ信号を受信することができる場合がある。そのような場合、ＡＰは、そのようなＷＵＲ  ＳＴＡにはセンターサブチャネルしか割り当てることができない。同様に、ＷＵＲ  ＳＴＡは、低複雑度受信機フィルタ設計などによりＦＤＭＡ  ＷＵＲ送信をサポートしない場合があり、このような場合、ＡＰは、そのようなＷＵＲ  ＳＴＡに対して非ＦＤＭＡ  ＷＵＲ送信を使用する必要がある。そのような情報は、ＡＰにとって有用であり得、そのようなＷＵＲ  ＳＴＡがそのＢＳＳ内でＷＵＲモード動作に入ることを可能にするかどうかを決定する。ＷＵＲデバイスクラスフィールド６３０はＡＰに対しては予備であり、ＷＵＲ  ＳＴＡに対しては表６５０に列挙されるようにＳＴＡのハードウェア能力を示している。クラスＡ  ＷＵＲデバイスは、良好なハードウェア能力を有し、サポートされているチャネル内の任意のＷＵＲチャネルで動作することができる。必要に応じて、クラスＡ  ＷＵＲ  ＳＴＡは、ブロードキャストＷＵＲ送信を受信するチャネル切り替えを実行することができる。クラスＢデバイスはハードウェア能力が低く、ベース（ブロードキャスト）ＷＵＲチャネルでのみ動作することができる。クラスＢデバイスは、受信フィルタ性能が悪いため、狭帯域ＦＤＭＡ  ＷＵＲ送信を受信できない場合がある。クラスＣデバイスは中間的なハードウェア能力を持ち、サポートされているチャネル内の任意のＷＵＲチャネルで動作することができる。必要に応じて、クラスＣ  ＷＵＲ  ＳＴＡはまた、ブロードキャストＷＵＲ送信を受信するためにチャネル切り替えを実行することができる。クラスＣデバイスは、狭帯域ＦＤＭＡ  ＷＵＲ送信を受信することができ得るが、隣接するＷＵＲチャネル上のＷＵＲ送信から干渉を受けやすい場合がある。ＡＰは、ＷＵＲ  ＳＴＡのデバイスクラスの知識を利用して、ＢＳＳ内のＷＵＲチャネルをインテリジェントに割り当ててもよく、例えば、クラスＢおよびクラスＣのすべてのデバイスは、ブロードキャストＷＵＲチャネルに割り当てられてもよく、クラスＡデバイスは、任意のＷＵＲチャネルに割り当てられてもよい。同様に、クラスＡおよびクラスＣデバイスにウェイクアップ信号を送信するためにＦＤＭＡ  ＷＵＲ送信を使用することができるが、クラスＢデバイスには非ＦＤＭＡ  ＷＵＲ送信のみを使用することができる。チャネル切り替えガード時間フィールド６４０は、ＡＰに対しては予備であり、ＷＵＲ  ＳＴＡに対してはオプショナルなフィールドで、ＷＵＲ  ＳＴＡが、図５Ａ〜５ＢのＷＵＲ動作エレメント５００内のブロードキャストチャネル切り替えビット５２４を設定したＡＰと、ＷＵＲモードセットアップをネゴシエートしているときにのみ存在する。チャネル切り替えガード時間フィールド６４０は、ＷＵＲ  ＳＴＡのＷＵＲｘがチャネルをブロードキャストＷＵＲチャネルへ切り替えているために、ＷＵＲ  ＳＴＡが割り当てられたＷＵＲチャネルでＷＵＲフレームを受信できない可能性のある、最大時間を示す。
【００２４】
前述のように、複数のＷＵＲチャネルがＢＳＳ内で動作している場合、ＷＵＲ  ＳＴＡは異なるＷＵＲチャネルに割り当てられ得る。ＷＵＲ  ＳＴＡは、ＷＵＲモードである間、割り当てられたＷＵＲチャネルのみを聴取するため、ＡＰが他のＷＵＲチャネルで送信したブロードキャストＷＵＲフレームを受信しない場合がある。ブロードキャストＷＵＲフレームは、ＢＳＳ内のすべてのＷＵＲ  ＳＴＡによって受信されるように意図されているため、それが欠落すると、時間の同期を失うなど、ＷＵＲ  ＳＴＡの動作に悪影響を及ぼす可能性がある。ブロードキャストＷＵＲフレームを送信するためにＡＰによって使用されるＷＵＲチャネルは、ＢＳＳのブロードキャストＷＵＲチャネル、またはベースＷＵＲチャネル、またはプライマリＷＵＲチャネルとも称され得る。図７は、ＷＵＲ  ＳＴＡによるスケジュールされたブロードキャストＷＵＲフレームの受信の課題を克服するために提案される送信方式７００を示す。３つのＷＵＲチャネル、ＷＵＲ  ＣＨ１  ７１０、ＷＵＲ  ＣＨ２  ７１２およびＷＵＲ  ＣＨ３  ７１４がＢＳＳで定義されており、ＷＵＲ  ＳＴＡ１、ＷＵＲ  ＳＴＡ２およびＷＵＲ  ＳＴＡ３にそれぞれ割り当てられている。ＷＵＲ  ＣＨ２  ７１２は、ＡＰによってブロードキャストＷＵＲチャネルとして指定され、ＷＵＲ動作エレメント５００のブロードキャストＷＵＲチャネルフィールド５４０を通じてＢＳＳ内にアドバタイズされる。スケジュールされたＷＵＲフレームの一例としてＷＵＲビーコンフレームを考えると、ＢＳＳ内のすべてのＷＵＲ  ＳＴＡは、ＡＰによる次のＷＵＲビーコンの予期される送信時刻である次の目標ＷＵＲビーコン送信時刻（ＴＷＢＴＴ：Ｔａｒｇｅｔ  ＷＵＲ  Ｂｅａｃｏｎ  Ｔｒａｎｓｍｉｓｓｉｏｎ  Ｔｉｍｅ）を認識しているであろう。提案された送信方式によると、ＷＵＲビーコンフレーム７３０は、ＷＵＲブロードキャストチャネルＷＵＲ  ＣＨ２  ７１２上でのみ送信される。当初、３つのＷＵＲ  ＳＴＡはすべて、それぞれのＷＵＲチャネルにＷＵＲｘをチューニングしている。時刻７２０において、予期されるＴＷＢＴＴの少し前に、ＷＵＲ  ＳＴＡ１およびＷＵＲ  ＳＴＡ３は、それぞれのＷＵＲｘをブロードキャストＷＵＲチャネルＷＵＲ  ＣＨ２  ７１２に切り替え、スケジュールされたＷＵＲビーコンフレーム７３０を待つ。狭帯域マルチチャネルＷＵＲ動作が使用され、３つすべてのＷＵＲチャネルが同じ２０ＭＨｚ８０２．１１チャネル内にあるとき、ＷＵＲ  ＣＨ１  ７１０またはＷＵＲ  ＣＨ３  ７１４のいずれかから中央ＷＵＲ  ＣＨ２  ７１２に切り替えることは、単に振動子を変更する必要なくＷＵＲｘの周波数シンセサイザをチューニングすることであり得、そのために多くの時間がかからず、ＷＵＲ  ＳＴＡの消費電力に及ぼす影響は最小限である。ＷＵＲビーコンフレーム７３０が受信されると、時刻７４０で、ＳＴＡ１およびＳＴＡ３はそれぞれのＷＵＲｘを割り当てられたＷＵＲチャネルに切り替えて戻す。また、ＷＵＲビーコンが予期されるＴＷＢＴＴから一定のタイムアウト期間Ｔ内に受信されない場合も、ＷＵＲ  ＳＴＡは割り当てられたＷＵＲチャネルに切り替わって戻り得る。ＡＰは、ＷＵＲビーコンフレームを送信するために無線チャネルについて競合する必要があるため、タイムアウト期間ＴはＡＰでの可能性のあるチャネルアクセス遅延に対応するのに十分に大きい必要がある。チャネル切り替えガード時間（ＣＳＧＴ：Ｃｈａｎｎｅｌ  Ｓｗｉｔｃｈ  Ｇｕａｒｄ  Ｔｉｍｅ）は、ＷＵＲ  ＳＴＡのＷＵＲｘがチャネルをブロードキャストＷＵＲチャネルに切り替えているため、ＷＵＲ  ＳＴＡが割り当てられたＷＵＲチャネルでＷＵＲフレームを受信できない可能性のある最大期間を示す。ＣＳＧＴは、ＷＵＲ  ＳＴＡが割り当てられたＷＵＲチャネルから離れる時間の上限を示し、ＷＵＲビーコンなどのスケジュールされたＷＵＲフレームを待つためにブロードキャストＷＵＲチャネルに切り替える時から始まり、スケジュールされたＷＵＲフレームの受信時か、または、タイムアウトＴの満了時のいずれかに、ＷＵＲ  ＳＴＡが割り当てられたＷＵＲチャネルに切り替わる時に終わる。図７を参照すると、ＣＳＧＴは、ＷＵＲ  ＳＴＡ３がブロードキャストＷＵＲチャネルＷＵＲ  ＣＨ２  ７１２に切り替わる時刻７２０から始まり、ＷＵＲ  ＳＴＡ３が割り当てられたＷＵＲチャネルＷＵＲ  ＣＨ３  ７１４にその時刻までに戻るべき最も遅い時刻である時刻７４２に終わる時間をカバーする。ＣＳＧＴは、ＩＥＥＥ８０２．１１ｂａ仕様で定義された所定の時間であってもよく、すべてのＷＵＲ  ＳＴＡで同じであってもよい。しかしながら、ＣＧＳＴは、チャネルの切り替えに要する時間、ＷＵＲ  ＳＴＡのクロックドリフトの補償に要する時間など、ＷＵＲ  ＳＴＡのハードウェア能力に関連する様々なパラメータを考慮する必要があるため、ＣＧＳＴは個々のＷＵＲ  ＳＴＡによって大きく異なる場合がある。また、ＷＵＲ  ＳＴＡのＣＧＳＴの値は、ブロードキャストＷＵＲチャネルおよびＷＵＲ  ＳＴＡの割り当てられたＷＵＲチャネルが同じ周波数帯域にあるか、または異なる周波数帯域にあるかによって変化する場合がある。したがって、各ＷＵＲ  ＳＴＡはまた、図６のＷＵＲ能力エレメント６００内のチャネル切り替えガード時間フィールド６４０を使用することによって、ＷＵＲモードネゴシエート段階において、そのＣＧＳＴをＡＰに報告してもよい。ＡＰは、ＣＧＳＴ中にＷＵＲフレームをＷＵＲ  ＳＴＡに送信しないことを担保する必要がある。ＡＰは、そのような送信決定を行う際に、各ＷＵＲ  ＳＴＡによって報告されたＣＧＳＴを考慮するか、または、より簡単に、ＡＰに関連付けられたすべてのＷＵＲ  ＳＴＡのＣＧＳＴの最大値を取ってもよい。ＷＵＲ  ＰＰＤＵ７５０は、ＷＵＲビーコンフレーム７３０を運ぶために使用される。送信の信頼性を確保するために、ＷＵＲビーコンフレーム７３０は、低データ速度で送信されることが予想され、この場合、ＷＵＲ同期フィールド７６０は、図３のＷＵＲ  ＰＰＤＵフォーマット３００に示されるように構成される。しかしながら、ＷＵＲビーコンフレーム７３０が高データ速度で送信される場合、ＷＵＲ同期フィールド７６０は、図３のＷＵＲ  ＰＰＤＵフォーマット３５０に示されるように構成される。
【００２５】
図７の送信方式７００は、スケジュールされたブロードキャストＷＵＲフレームを、ブロードキャストＷＵＲチャネル以外のＷＵＲチャネルに割り当てられたＷＵＲ  ＳＴＡが受信する際の課題を克服するのに役立つ。しかしながら、非ブロードキャストＷＵＲチャネルのＷＵＲ  ＳＴＡは、ＡＰがいつスケジュールされていないブロードキャストＷＵＲフレームを送信するかを認識していないため、スケジュールされていないブロードキャストＷＵＲフレームの受信に関する問題は引き続き残っている。スケジュールされていないブロードキャストＷＵＲフレームは、ＰＣＲ上でいくつかの重要なブロードキャストフレームを受信するために、ＢＳＳ内のすべてのＷＵＲ  ＳＴＡをウェイクアップさせるためにＡＰによって送信される場合があり、そのようなフレームが欠落すると、ＷＵＲ  ＳＴＡの動作に支障をきたす可能性がある。図８の強化されたＷＵＲビーコンフレーム８００は、スケジュールされていないブロードキャストＷＵＲフレームの受信に関するこの問題を克服するために提案される。ＷＵＲビーコン８００のフレーム制御フィールド８１０は、例えば滞在（Ｓｔａｙ）ビット８１２の形態で、滞在指示（Ｓｔａｙ  ｉｎｄｉｃａｔｉｏｎ）フィールドを含み、滞在ビット８１２は、１に設定されると、ＷＵＲビーコン８００の直後にＡＰが別のブロードキャストＷＵＲフレームを送信しようとすることをＷＵＲ  ＳＴＡに示す。滞在ビット８１２はまた、図２の「長さ／その他」フィールド２６６内のビットの１つであってもよい。ＢＳＳのいくつかのＷＵＲ  ＳＴＡがデューティサイクルモードで動作している可能性があり、すべてのＷＵＲビーコンフレームを受信するようにはウェイクアップしない可能性があることを考慮して、ＡＰは、すべてのＷＵＲ  ＳＴＡが受信することを確実にするために、同じブロードキャストＷＵＲフレームを何度か送信する必要がある場合がある。このような状況では、いくつかの連続するＷＵＲビーコンが滞在指示を含む場合がある。しかしながら、デューティサイクルモードで動作していないＷＵＲ  ＳＴＡは、すべてのＷＵＲビーコンを受信し得るが、ＡＰは、このようなＷＵＲ  ＳＴＡがブロードキャストＷＵＲチャネルに滞在し続けて同じブロードキャストＷＵＲフレームを複数回待つことを望まない場合がある。このような場合、滞在指示フィールドは、図２の「長さ／その他」フィールド２６６の２ビットまたは３ビットから構成されるカウンタであってもよく、滞在指示フィールドの非ゼロ値は、ＷＵＲビーコン８００の直後にＡＰが別のブロードキャストＷＵＲフレームを送信しようとすることをＷＵＲ  ＳＴＡに示す。ＷＵＲ  ＳＴＡが、滞在指示フィールドが一定の値Ｘに設定されたＷＵＲビーコンの後にＡＰによって送信されたブロードキャストＷＵＲフレームおよび関連するＰＣＲフレームを既に受信している場合、そのＷＵＲ  ＳＴＡは、次の数回連続するＷＵＲビーコンの滞在指示フィールドの値が同一の値Ｘであれば、その滞在指示フィールドを無視し、直ちに割り当てられたＷＵＲチャネルに切り替えることができる。
【００２６】
図９は、ＷＵＲ  ＳＴＡによるスケジュールされていないブロードキャストＷＵＲフレームの受信についての課題を克服するために提案される送信方式９００を示す。３つのＷＵＲチャネル、ＷＵＲ  ＣＨ１  ９１０、ＷＵＲ  ＣＨ２  ９１２およびＷＵＲ  ＣＨ３  ９１４がＢＳＳで定義されており、ＷＵＲ  ＳＴＡ１、ＷＵＲ  ＳＴＡ２およびＷＵＲ  ＳＴＡ３にそれぞれ割り当てられている。ＷＵＲ  ＣＨ２  ９１２は、ＡＰによってブロードキャストＷＵＲチャネルに指定され、ＷＵＲ動作エレメント５００のブロードキャストＷＵＲチャネルフィールド５４０を通じてＢＳＳ内にアドバタイズされる。当初、３つのＷＵＲ  ＳＴＡはすべて、それぞれのＷＵＲチャネルにＷＵＲｘをチューニングしている。時刻９２０において、予期されるＴＷＢＴＴの少し前に、ＷＵＲ  ＳＴＡ１およびＷＵＲ  ＳＴＡ３は、それぞれのＷＵＲｘをブロードキャストＷＵＲチャネルＷＵＲ  ＣＨ２  ９１２に切り替えて、スケジュールされたＷＵＲビーコンフレーム９３０を待つ。ＷＵＲビーコンフレーム９３０は、図８のＷＵＲビーコンフレーム８００のフォーマットに従い、ＡＰがブロードキャストすべきＰＣＲフレームを持っているときはいつも、次のスケジュールされたＷＵＲビーコンフレームの送信直後に、ブロードキャストＷＵＲチャネルＷＵＲ  ＣＨ２  ９１２上で送信すべきブロードキャストＷＵＲフレーム９４０をスケジュールする。スケジュールされたＷＵＲビーコン９３０のフレーム制御フィールド８１０内の滞在ビット８１２は、スケジュールされていないブロードキャストＷＵＲフレーム９４０が送信待ちであることをＷＵＲ  ＳＴＡに知らせるため１に設定される。滞在ビットが１に設定されているため、すぐにそれぞれのＷＵＲチャネルに切り替える代わりに、ＷＵＲ  ＳＴＡ１およびＷＵＲ  ＳＴＡ３は、ＷＵＲ  ＣＨ２  ９１２で聴取し続け、スケジュールされていないブロードキャストＷＵＲフレーム９４０を待つ。時間９５０でブロードキャストＷＵＲフレーム９４０を受信すると、３つのＷＵＲ  ＳＴＡすべてがＰＣＲをオンにし、ＰＣＲチャネル９１６に切り替えてＡＰからＰＣＲフレームを待つ。ＰＣＲセッションが終了すると、時間９７０において、３つのＷＵＲ  ＳＴＡすべてがそれぞれのＷＵＲチャネルに切り替わって戻る。また、ブロードキャストＷＵＲフレーム９４０が、ＷＵＲビーコン９３０が受信された時点から特定のタイムアウト期間Ｔｓ内に受信されない場合も、ＷＵＲ  ＳＴＡは、時間９６０においてそれらの割り当てられたＷＵＲチャネルに切り替わって戻ってもよい。また、ＷＵＲビーコンが予期されるＴＷＢＴＴから一定のタイムアウト期間Ｔ内に受信されない場合も、ＷＵＲ  ＳＴＡは割り当てられたＷＵＲチャネルに切り替わって戻り得る。
【００２７】
狭帯域マルチチャネルＷＵＲ動作では、ウェイクアップ信号が２０ＭＨｚチャネル内の単一のサブチャネルでのみ送信され、残りのサブチャネルが空のままになると、サードパーティ８０２．１１デバイスがチャネル検知中にウェイクアップ信号を検出できない危険性が高い。特に、サードパーティ８０２．１１デバイスがＷＵＲ  ＰＰＤＵのレガシー部分を逃した場合、ＷＵＲ  ＰＰＤＵのウェイクアップ信号部分の狭い帯域性質のため、２０ＭＨｚの検知帯域幅にわたって平均されたときのそのエネルギーレベルは、８０２．１１デバイスのエネルギー検出（ＥＤ：Ｅｎｅｒｇｙ  Ｄｅｔｅｃｔｉｏｎ）閾値−６２ｄＢｍよりも低くなる可能性が高い。これにより、その８０２．１１デバイスが２０ＭＨｚチャネルをアイドルとして扱い、ウェイクアップ信号に被せて送信する可能性がある。この問題は、ＷＵＲパケット中（Ｍｉｄ−ｐａｃｋｅｔ）ＣＣＡ誤検出問題と呼ばれる場合がある。実際、単一のサブチャネルのみが２０ＭＨｚチャネル内のＷＵＲチャネルとして定義されている通常のＷＵＲ動作においても、ＷＵＲパケット中ＣＣＡ問題が発生し得る。図４に示すように、狭帯域ＦＤＭＡ  ＷＵＲ送信を使用してすべての利用可能なサブチャネルでウェイクアップ信号を同時に送信すると、ウェイクアップ信号部分中の総エネルギーレベルが高くなり、ＷＵＲパケット中ＣＣＡ誤検出のリスクが低下する。しかしながら、ＡＰがＦＤＭＡ  ＷＵＲ送信が可能であっても、ウェイクアップされるＷＵＲ  ＳＴＡの数が利用可能なサブチャネルの数よりも少ない可能性がある。最悪の場合、ＡＰは２０ＭＨｚチャネル内の単一のウェイクアップ信号のみを送信することがある。そのような場合には、なおＷＵＲパケット中ＣＣＡ誤検出が発生する可能性がある。
【００２８】
図１０は、ＷＵＲパケット中ＣＣＡ誤検出のリスクを低減するＷＵＲ  ＰＰＤＵの送信方法の提案を示す。狭帯域マルチチャネルＷＵＲ動作中または狭帯域ＦＤＭＡ  ＷＵＲ送信中に、２０ＭＨｚチャネル内の少なくとも１つのサブチャネルが未使用の場合、空のサブチャネル上でヌル信号と呼ばれる特殊信号が送信される。ヌル信号は、ダミー信号とも称され得る。例えば、ＷＵＲ  ＰＰＤＵ１０００では、上部サブチャネルのみが、ＳＴＡ１宛てのウェイクアップ信号１０１０で占有される。中央および下部サブチャネルには、送信されるウェイクアップ信号がないため、ＡＰは、２つの空のチャネル上でヌル信号１０１２を送信する。しかしながら、２０ＭＨｚチャネル内の単一のサブチャネルのみがＷＵＲチャネルとして定義されている通常のＷＵＲ動作では、他のサブチャネルの明示的な定義が存在しない場合がある。例えば、１０５０は、ＯＦＤＭサブキャリアに関する２０ＭＨｚ８０２．１１チャネルの周波数領域図を示す。２０ＭＨｚ８０２．１１チャネルは６４個のＯＦＤＭサブキャリアで構成され、サブキャリア間隔は３１２．５ＫＨｚで−３２から３１にインデックスされている。通常のＷＵＲ動作では、−７〜６の範囲の中央１３サブキャリア位置（位置０のＤＣサブキャリアを除く）は、ウェイクアップ信号の送信に指定され、これら１３のサブキャリアは、４ＭＨｚ幅のＷＵＲチャネル１０５８を構成する。これにより、ＷＵＲチャネル１０５８のいずれかの側に８ＭＨｚの空を残し、これは、ヌル信号１０１２を送信するために使用され得る。しかしながら、ＷＵＲチャネル１０５８上のウェイクアップ信号に対する隣接チャネル干渉（ＡＣＩ：ａｄｊａｃｅｎｔ  ｃｈａｎｎｅｌ  ｉｎｔｅｒｆｅｒｅｎｃｅ）のリスクを低減するために、２ＭＨｚ空間１０５６を構成する位置−１３〜−８のサブキャリアおよび２ＭＨｚ空間１０６０を構成する位置７〜１２のサブキャリアは、未使用のままである。同様に、他の隣接する２０ＭＨｚチャネルへのＡＣＩのリスクを低減するために、２ＭＨｚ空間１０５２を構成する位置−３２〜−２８におけるサブキャリアと、２ＭＨｚ空間１０６４を構成する位置２７〜３１におけるサブキャリアは、未使用のままである。位置−２７〜−１４におけるサブキャリアおよび位置１３〜２６におけるサブキャリア（それぞれ４ＭＨｚを構成する）は、それぞれヌルチャネル１０５４および１０６２として指定され得、ＡＰによってヌル信号１０１２を送信するために使用され得る。ヌル信号を送信する目的は、主に、ＰＣＲモードで動作する８０２．１１デバイスによる、ＷＵＲパケット中ＣＣＡ誤検出のリスクを低減することであるため、ＷＵＲ  ＳＴＡはヌルチャネルの存在を認識する必要はない。あるいは、ヌルチャネルは明示的に定義されず、ＡＰは、ＷＵＲ  ＰＰＤＵのＷＵＲ部分のエネルギーレベルを上げる必要性により、ＷＵＲチャネルのいずれかの側の未使用のサブキャリアを埋めることも可能である。しかしながら、ウェイクアップ信号または他の隣接する２０ＭＨｚチャネルへの干渉のリスクを低減するように注意する必要がある。
【００２９】
図１１は、低データ速度および高データ速度ウェイクアップ信号の両方について図１０に導入されるヌル信号１０１２を構成する具体的な方法を示す。図３で前述したように、ＷＵＲ同期フィールドには、ＷＵＲデータフィールドに含まれるＷＵＲフレームのデータ速度を示すために、２つの３２ビットシーケンスＳ３１０およびＳ３６０が使用される。２つの３２ビットシーケンスＳ３１０およびＳ３６０は、すべてのＷＵＲ  ＳＴＡに既知であるため、ウェイクアップ信号を聴取するとき、各ＷＵＲ  ＳＴＡのＷＵＲｘは、既知の３２ビットシーケンスＳ３１０およびＳ３６０を使用して、受信したウェイクアップ信号のＷＵＲ同期と相互相関し、有効なウェイクアップ信号を検出する。ヌル信号が有効なウェイクアップ信号として検出されるリスクを最小限に抑えるために、特殊な３２ビットシーケンスＳ’が定義されている。３２ビットシーケンスＳ’は、ＳおよびＳの両方と非常に低い相互相関比を有するように設計されている。３２ビットシーケンスＳ’は、ＳおよびＳと同じシンボル持続時間を有する。図１１では、Ｓ１１２０およびＳ１１６０は、それぞれ、図３のＳ３１０およびＳ３６０と同じである。ＷＵＲ  ＰＰＤＵ１１００は、低データ速度ヌル信号を使用する例である。有効なウェイクアップ信号は、低データ速度で第１のＷＵＲチャネル上で送信される。低データ速度ウェイクアップ信号のＷＵＲ同期フィールドは、２つの３２ビットシーケンスＳ１１２０を連結することによって構成され、それに、ＷＵＲ  ＳＴＡ１宛ての、６２．５  ｋｂ／ｓの低データ速度で送信されるＷＵＲフレーム１１１０が続く。他の２つの空のＷＵＲチャネルのそれぞれにおいて、低データ速度のヌル信号が送信される。低データ速度ヌル信号は、２つの３２ビットシーケンスＳ’１１３０を連結し、それに続くダミーデータ１１４０とで構成され、このダミーデータも６２．５ｋｂ／ｓの低データ速度で送信され、ＷＵＲフレーム１１１０と同じ長さである。ＷＵＲ  ＰＰＤＵ１１５０は、高データ速度ヌル信号を使用する例である。有効なウェイクアップ信号は、高データ速度で第１のＷＵＲチャネル上で送信される。高データ速度ウェイクアップ信号のＷＵＲ同期フィールドは、３２ビットシーケンスＳ１１６０で構成され、それに、ＷＵＲ  ＳＴＡ１宛ての、２５０ｋｂ／ｓの高データ速度で送信されるＷＵＲフレーム１１１０が続く。他の２つの空のＷＵＲチャネルのそれぞれにおいて、高データ速度のヌル信号が送信される。高データ速度ヌル信号は、３２ビットシーケンスＳ’１１３０とそれに続くダミーデータ１１４０とを送信することによって構成されるが、このダミーデータも２５０ｋｂ／ｓの高データ速度で送信され、ＷＵＲフレーム１１１０と同じ長さである。ダミーデータ１１４０は、様々な方法で構成され得る。一例では、ダミーデータ１１４０は、すべてが１、またはすべてが０の系列であってもよく、または１と０が交互に並ぶ系列であってもよい。あるいは、ダミーデータ１１４０はまた、ＷＵＲフレーム１１１０のコピーであってもよい。ＷＵＲ  ＰＰＤＵ内に２つの有効なウェイクアップ信号が存在する場合、ダミーデータは、２つのウェイクアップ信号のいずれかの内に含まれるＷ��Ｒフレームのコピーであってもよい。
【００３０】
（第２の実施形態）
複数のＷＵＲチャネルがＢＳＳ内で動作しているときに、ＡＰが他のＷＵＲチャネルで送信したブロードキャストＷＵＲフレームを受信しない可能性のあるＷＵＲ  ＳＴＡの課題に戻り、狭帯域ＦＤＭＡ  ＷＵＲ送信を使用して課題を解決する代替送信方式１２００を図１２に示す。ＡＰおよび関連するすべてのＷＵＲ  ＳＴＡがＦＤＭＡ送信に対応している場合、ＡＰは２０ＭＨｚチャネル内のすべての利用可能なＷＵＲチャネルで同じブロードキャストＷＵＲフレーム（スケジュールされたか、またはスケジュールされていないかのいずれか）を送信する。３つのＷＵＲチャネル、ＷＵＲ  ＣＨ１  １２１２、ＷＵＲ  ＣＨ２  １２１４およびＷＵＲ  ＣＨ３  １２１６がＢＳＳで定義されており、ＷＵＲ  ＳＴＡ１、ＷＵＲ  ＳＴＡ２およびＷＵＲ  ＳＴＡ３にそれぞれ割り当てられている。時間１２２０において、ＡＰは、３つのＷＵＲチャネルすべてにおいて同じブロードキャストＷＵＲフレーム１２３０を含むＷＵＲ  ＰＰＤＵを送信する。これにより、割り当てられたＷＵＲチャネルに関わらず、すべてのＷＵＲ  ＳＴＡがブロードキャストＷＵＲフレーム１２３０を受信することを確実にする。ＷＵＲビーコンフレームをブロードキャストＷＵＲフレーム１２３０の一例として取り上げると、ＷＵＲ  ＰＰＤＵ１２５０は、ＷＵＲビーコンフレーム１２３０を運ぶために使用され得る。ＷＵＲ  ＰＰＤＵ１２５０は、２０ＭＨｚチャネル１２５２内のＷＵＲチャネルの各々で同じウェイクアップ信号が複製されている狭帯域ＦＤＭＡ方式を使用して送信される。送信の信頼性を確保するために、ＷＵＲビーコンフレーム１２３０は、低データ速度で送信されることが予期され、この場合、ＷＵＲ同期フィールド１２６０は、図３のＷＵＲ  ＰＰＤＵフォーマット３００に示されるように構成される。しかしながら、ＷＵＲビーコンフレーム１２３０が高データ速度で送信される場合、ＷＵＲ同期フィールド１２６０は、図３のＷＵＲ  ＰＰＤＵフォーマット３５０に示されるように構成される。送信方式１２００は、ブロードキャストＷＵＲフレームの受信がどのＷＵＲ  ＳＴＡにも認識でき、チャネル切り替えなどの追加の動作を必要としないため、ＷＵＲ  ＳＴＡにとって好ましい場合がある。しかしながら、この方式では、ＡＰとＷＵＲ  ＳＴＡの両方がＦＤＭＡ送信に対応することを要求している。
【００３１】
図１３は、低データ速度および高データ速度ウェイクアップ信号の両方について図１０に導入されるヌル信号１０１２を構成する代替方法を示す。図１３において、Ｓ１３２０およびＳ１３６０はそれぞれ図３のＳ３１０およびＳ３６０と同じであり、Ｓ  ’１３３０は図１１の３２ビットシーケンスＳ’１１３０と同じである。ＷＵＲ  ＰＰＤＵ１３００は、低データ速度ＷＵＲフレームが送信される一例である。有効なウェイクアップ信号は、低データ速度で第１のＷＵＲチャネル上で送信される。低データ速度ウェイクアップ信号のＷＵＲ同期フィールドは、２つの３２ビットシーケンスＳ１３２０を連結することによって構成され、それに、ＷＵＲ  ＳＴＡ１宛ての、６２．５ｋｂ／ｓの低データ速度で送信されるＷＵＲフレーム１３１０が続く。他の２つの空のＷＵＲチャネルのそれぞれで、ヌル信号が送信される。この場合、ヌル信号は、ＷＵＲ  ＰＰＤＵ１３００の終了まで３２ビットシーケンスＳ’１３３０を繰り返し送信することによって構成される。各３２ビットシーケンスＳ’１３３０は６４マイクロ秒長であるため、ＷＵＲフレーム１３１０の長さが６４マイクロ秒の倍数でない場合、最後の３２ビットシーケンスＳ’１３４０の送信は、ＷＵＲ  ＰＰＤＵ１３００の終了の境界で早期に終了する。ＷＵＲ  ＰＰＤＵ１３５０は、高データ速度ＷＵＲフレームが送信される例である。有効なウェイクアップ信号は、高データ速度で第１のＷＵＲチャネル上で送信される。高データ速度ウェイクアップ信号のＷＵＲ同期フィールドは、３２ビットシーケンスＳ１３６０で構成され、それに、ＷＵＲ  ＳＴＡ１宛ての、２５０ｋｂ／ｓの高データ速度で送信されるＷＵＲフレーム１３７０が続く。他の２つの空のＷＵＲチャネルのそれぞれで、ヌル信号が送信される。この場合、ヌル信号は、ＷＵＲ  ＰＰＤＵ１３５０の終了まで３２ビットシーケンスＳ’１３３０を繰り返し送信するように構成される。図１３には示されていないが、ＷＵＲフレーム１３７０の長さが６４マイクロ秒の倍数でない場合、最後の３２ビットシーケンスＳ’１３３０の送信は、ＷＵＲ  ＰＰＤＵ１３５０の終了の境界で早期に終了する。図１１および図１３では、ヌル信号について具体的なフォーマットが示唆されているが、ヌル信号が明示的に定義されなくてもよく、ヌル信号は、空のＷＵＲチャネル、または図１０に導入されたヌルチャネル上でエネルギーを生成するためにＡＰが任意の形式で送信するものでもよい。例えば、ヌル信号は、すべてが１、またはすべてが０の系列であってもよく、または、１と０が交互に並ぶ系列や、同じＷＵＲ  ＰＰＤＵ内の有効なウェイクアップ信号と同様の送信電力で送信される任意の他のベンダー固有の信号であってもよい。
【００３２】
（第３の実施形態）
図１４は、低データ速度および高データ速度ウェイクアップ信号の両方について、図１０に導入されるヌル信号１０１２を構成するさらに別の代替方法を示す。図１４において、Ｓ１４２０およびＳ１４６０は、それぞれ図３のＳ３１０およびＳ３６０と同じである。ＷＵＲ  ＰＰＤＵ１４００は、低データ速度ＷＵＲフレームが送信される例であり、図１１のＷＵＲ  ＰＰＤＵ１１００と同じであるが、ヌル信号の構成を除く。同様に、ＷＵＲ  ＰＰＤＵ１４５０は、高データ速度ＷＵＲフレームが送信され、ヌル信号の構成を除いて図１１のＷＵＲ  ＰＰＤＵ１１５０と同じである例である。ヌルフレーム１４４０という新しいタイプのＷＵＲフレームが定義されている。新しいヌルフレームは、図２のフレーム制御フィールド２４２に新しいタイプフィールド２６２を定義することによって識別される。ヌルフレーム１４４０の残りの内容は、ＷＵＲフレーム１４１０と全く同じである。低データ速度の場合、ヌル信号は、３２ビットシーケンスＳ１４２０の２つのコピーを連結し、それに、低データ速度で送信されるヌルフレーム１４４０が続くことで構成される。高データ速度の場合、ヌル信号は、高データ速度で送信されるヌルフレーム１４４０が続く３２ビットシーケンスＳ１４６０で構成される。この方法は、ヌル信号の構成がより簡単であるため、ＡＰにとって好ましい場合がある。しかしながら、ＷＵＲ  ＳＴＡは、有効な可能性のあるウェイクアップ信号として、ヌル信号に同期してしまうことがある。しかしながら、ＷＵＲ  ＳＴＡがフレームタイプフィールド２６２を読み取ると、ヌルフレームが識別され、ＷＵＲ  ＳＴＡは、ウェイクアップ信号の残りを無視することができる。
【００３３】
（第４の実施形態）
図１５は、図１０に導入されたヌル信号１０１２を構成するさらに別の代替方法を示す。ＷＵＲ  ＰＰＤＵ１５００において、ＷＵＲ  ＳＴＡ１宛ての有効なウェイクアップ信号１５１０は、第１のＷＵＲチャネル上で送信される。第２および第３のＷＵＲチャネルについては、ウェイクアップ信号１５１０の複製は、ヌル信号１５１２として使用され、ウェイクアップ信号１５１０と同じデータ速度で送信される。同様に、ＷＵＲ  ＰＰＤＵ１５５０では、ＷＵＲ  ＳＴＡ１宛ての有効なウェイクアップ信号１５６０が第１のＷＵＲチャネル上で送信され、ＷＵＲ  ＳＴＡのグループであるグループ２宛てのウェイクアップ信号１５６２が第２のＷＵＲチャネル上で送信される。グループに宛てられたＷＵＲフレームは可変長（ＶＬ）ＷＵＲフレームであり、図２に示されるフレームボディ２５０を含むことができるので、ウェイクアップ信号１５６２は、ウェイクアップ信号１５６０よりも長い可能性が高い。この場合、より長いウェイクアップ信号１５６２の複製がヌル信号１５６４として使用され、ウェイクアップ信号１５６２と同じデータ速度で第３のＷＵＲチャネルで送信される。ウェイクアップ信号１５６０がより短いため、第１のＷＵＲチャネル上の送信はより早く終了し、これにより、ＷＵＲ  ＰＰＤＵ１５５０のＷＵＲ部分のエネルギーレベルが低下する可能性がある。これを防ぐために、パディングフィールド１５６６は、ＷＵＲ  ＰＰＤＵ１５５０の終了に送信終了時間を合わせるために、ウェイクアップ信号１５６０の最後に追加される。パディングフィールド１５６６は、すべてが１、またはすべてが０の系列であってもよく、または１と０が交互に並ぶ系列であってもよく、ウェイクアップ信号１５６０のＷＵＲデータフィールドと同じデータ速度で送信される。
【００３４】
（第５の実施形態）
先に、図４に示すように、２０ＭＨｚ  ８０２．１１チャネル内の複数の狭いサブチャネルを定義する狭帯域マルチチャネルＷＵＲ動作を、マルチチャネルＷＵＲ動作を生成するための１つの方法として導入した。同様に、同じ２０ＭＨｚ８０２．１１チャネル内のサブチャネル上の複数のウェイクアップ信号の同時送信として、狭帯域ＦＤＭＡ  ＷＵＲ送信方式が導入された。図１６には、マルチチャネルＷＵＲ動作を実現する代替方法が示されており、そこでは、２０ＭＨｚ８０２．１１チャネル内に単一のＷＵＲチャネルのみが定義されているが、ＢＳＳ内で、複数の２０ＭＨｚ８０２．１１チャネルを、ＷＵＲ信号を運ぶために使用することができる。狭帯域マルチチャネルＷＵＲ動作と区別するために、このような方法は、広帯域マルチチャネルＷＵＲ動作として知られ得る。広帯域マルチチャネルＷＵＲ動作では、単一のＷＵＲチャネルが２０ＭＨｚ８０２．１１チャネル内に定義されているため、実際には２０ＭＨｚチャネルの狭い部分のみがウェイクアップ信号の送信に使用されているにも関わらず、その２０ＭＨｚチャネル自体がＷＵＲチャネルと称され得る。周波数領域で複数の２０ＭＨｚ８０２．１１チャネルが連続している場合、複数のウェイクアップ信号を同時に送信してもよい。特殊なケースとして非連続８０＋８０ＭＨｚチャネルでは、８０＋８０ＭＨｚチャネル内の各連続８０ＭＨｚ内で複数のウェイクアップ信号が同時に送信されてもよい。複数の２０ＭＨｚ８０２．１１チャネルが含まれているため、これを広帯域ＦＤＭＡ  ＷＵＲ送信と称することができる。広帯域ＦＤＭＡ  ＷＵＲ送信の２つの例を図１６に示す。ＷＵＲ  ＰＰＤＵ１６００は、広帯域ＦＤＭＡ  ＷＵＲ送信方式を使用することによって、４０ＭＨｚで２つのウェイクアップ信号を同時に運ぶＷＵＲ  ＰＰＤＵの例である。２つのＷＵＲ  ＳＴＡ、ＷＵＲ  ＳＴＡ１およびＷＵＲ  ＳＴＡ２は、それぞれ隣接するＷＵＲチャネル１６２０および１６２２上に割り当てられる。ＷＵＲ  ＰＰＤＵ１６００のレガシー８０２．１１プリアンブルおよびＢＰＳＫマークシンボルは、８０２．１１ｎおよび８０２．１１ａｃのｎｏｎ−ＨＴ複製ＰＰＤＵフォーマットと同様に、各２０ＭＨｚチャネルで複製され４０ＭＨｚ全体で送信される。ウェイクアップ信号１６３０はＷＵＲ  ＳＴＡ１宛てであり、ＷＵＲチャネル１６２０上で送信され、ウェイクアップ信号１６３２はＷＵＲ  ＳＴＡ２宛てであり、ＷＵＲチャネル１６２２上で送信される。
【００３５】
同様に、ＷＵＲ  ＰＰＤＵ１６４０は、広帯域ＦＤＭＡ  ＷＵＲ送信方式を使用することによって、８０ＭＨｚで４つのウェイクアップ信号を同時に運ぶＷＵＲ  ＰＰＤＵの例である。４つのＷＵＲ  ＳＴＡ、ＷＵＲ  ＳＴＡ１、ＷＵＲ  ＳＴＡ２、ＷＵＲ  ＳＴＡ３およびＷＵＲ  ＳＴＡ４は、それぞれ隣接するＷＵＲチャネル１６５０、１６５２、１６５４、および１６５６上に割り当てられる。ＷＵＲ  ＰＰＤＵ１６４０のレガシー８０２．１１プリアンブルおよびＢＰＳＫマークシンボルは、各２０ＭＨｚチャネルで複製され、８０ＭＨｚ全体で送信される。ウェイクアップ信号１６６０はＷＵＲ  ＳＴＡ１宛てであり、ＷＵＲチャネル１６５０上で送信され、ウェイクアップ信号１６６２はＷＵＲ  ＳＴＡ２宛てであり、ＷＵＲチャネル１６５２上で送信され、ウェイクアップ信号１６６４はＷＵＲ  ＳＴＡ３宛てであり、ＷＵＲチャネル１６５４上で送信され、ウェイクアップ信号１６６６はＷＵＲ  ＳＴＡ４宛てであり、ＷＵＲチャネル１６５６上で送信される。ＷＵＲ  ＳＴＡの能力の観点では、２０ＭＨｚチャネルごとに１つのＷＵＲチャネルしか割り当てられていないため、ＷＵＲ  ＳＴＡは、広帯域ＦＤＭＡ方式で送信されるウェイクアップ信号を受信できるように特別なハードウェア能力を持つ必要はない。したがって、図６の表６５０に列挙されるＷＵＲデバイスクラスは、クラスＡおよびクラスＢデバイスに分化する必要のみがあり、両方のクラスはＦＤＭＡ  ＷＵＲ送信を受信することができる。
【００３６】
広帯域マルチチャネルＷＵＲ動作がＢＳＳ内で動作している場合、個別に宛てられたＷＵＲフレームの受信は、異なるＷＵＲチャネルに割り当てられたＷＵＲ  ＳＴＡに認識される。しかしながら、ＡＰが他のＷＵＲチャネルで送信したブロードキャストＷＵＲフレームを受信しないＷＵＲ  ＳＴＡの問題は引き続き残っている。図７の送信方式７００および図９の送信方式９００は、同じ２０ＭＨｚチャネル内ではなく、ＷＵＲチャネルが異なる２０ＭＨｚチャネル上にあることを除いて、広帯域マルチチャネルＷＵＲ動作の場合にも適用可能である。広帯域マルチチャネルＷＵＲ動作では、ＷＵＲチャネルがＰＣＲチャネルと同じ場合、ＰＣＲが使用するプライマリ２０ＭＨｚチャネルをブロードキャストＷＵＲチャネルに指定することを推奨する。この場合、ＡＰはブロードキャストＷＵＲチャネルを通知する必要はない。しかしながら、ＷＵＲチャネルがＰＣＲチャネルと異なる場合、またはＡＰがＰＣＲプライマリ２０ＭＨｚチャネル以外の２０ＭＨｚチャネルをブロードキャストＷＵＲチャネルとして指定することを何らかの理由で決定する場合、ＡＰは、図５ＡのＷＵＲ動作エレメント５００を使用してブロードキャストＷＵＲチャネルをアドバタイズする必要がある。ＡＰは、ブロードキャストＷＵＲフレームを（例えばＷＵＲビーコンフレームの場合、ＷＵＲ  ＰＰＤＵ７５０を使用して）ブロードキャストＷＵＲチャネルでのみ送信する。ブロードキャストＷＵＲチャネル以外のＷＵＲチャネルに割り当てられたすべてのＷＵＲ  ＳＴＡは、ブロードキャストＷＵＲチャネルに切り替えて、予期される送信時間にブロードキャストＷＵＲフレームを受信することができる。
【００３７】
ＡＰが広帯域ＦＤＭＡ送信可能な場合、ブロードキャストＷＵＲフレームの問題は、すべての利用可能なＷＵＲチャネルでブロードキャストＷＵＲフレーム（スケジュールされたか、またはスケジュールされていないかのいずれでも）を同時に送信する広帯域ＦＤＭＡ送信を使用することによって解決され得る。例示的な送信１７００を図１７に示す。ＷＵＲ  ＣＨ１  １７１０、ＷＵＲ  ＣＨ２  １７１２、ＷＵＲ  ＣＨ３  １７１４およびＷＵＲ  ＣＨ４  １７１６の４つのＷＵＲチャネルがＢＳＳで定義されており、ＷＵＲ  ＳＴＡ１、ＷＵＲ  ＳＴＡ２、ＷＵＲ  ＳＴＡ３およびＷＵＲ  ＳＴＡ４にそれぞれ割り当てられている。ＷＵＲチャネルＷＵＲ  ＣＨ１  １７１０、ＷＵＲ  ＣＨ２  １７１２、ＷＵＲ  ＣＨ３  １７１４およびＷＵＲ  ＣＨ４  １７１６は、それぞれ２０ＭＨｚチャネル１７６０、１７６２、１７６４および１７６６内に位置する。時刻１７２０において、ＡＰは、４つのＷＵＲチャネルすべてにおいて同じブロードキャストＷＵＲフレーム１７３０を含むＷＵＲ  ＰＰＤＵを送信する。これにより、割り当てられたＷＵＲチャネルに関わらず、すべてのＷＵＲ  ＳＴＡがブロードキャストＷＵＲフレーム１７３０を受信することを確実にする。ＷＵＲビーコンフレームをブロードキャストＷＵＲフレーム１７３０の例として、ＷＵＲ  ＰＰＤＵ１７５０は、ＷＵＲビーコンフレーム１７３０を運ぶために使用されてもよい。ＷＵＲ  ＰＰＤＵ１７５０は、同じ信号が２０ＭＨｚチャネル１７６０、１７６２、１７６４および１７６６のそれぞれに複製された広帯域ＦＤＭＡ方式を使用して８０ＭＨｚにわたって送信される。送信の信頼性を確保するために、ＷＵＲビーコンフレーム１７３０は、低データ速度で送信されることが予想され、この場合、ＷＵＲ同期フィールド１７７０は、図３のＷＵＲ  ＰＰＤＵフォーマット３００に示されるように構成される。しかしながら、ＷＵＲビーコンフレーム１７３０が高データ速度で送信される場合、ＷＵＲ同期フィールド１７７０は、図３のＷＵＲ  ＰＰＤＵフォーマット３５０に示されるように構成される。送信方式１７００は、ブロードキャストＷＵＲフレームの受信がどのＷＵＲ  ＳＴＡにも認識でき、チャネル切り替えなどの追加の動作を必要としないため、ＷＵＲ  ＳＴＡにとって好ましい場合がある。しかしながら、この方式では、ＡＰに広帯域ＦＤＭＡ送信が可能であることを要求する。
【００３８】
ＷＵＲ  ＰＰＤＵが広帯域ＦＤＭＡ送信を使用して送信されるとき、ＡＰは、異なるＷＵＲ  ＳＴＡ宛ての複数のウェイクアップ信号を同時に送信することができる。しかしながら、ＡＰは、広帯域ＦＤＭＡ方式を使用してＷＵＲ  ＰＰＤＵを送信する前にＩＥＥＥ８０２．１１広帯域チャネルアクセスルールに従う必要があり、ルールの１つは、ＢＳＳのプライマリ２０ＭＨｚチャネルがすべての広帯域送信に含まれることを必要とする。図１８は、広帯域ＦＤＭＡ  ＷＵＲ送信方式を使用して８０ＭＨｚにわたって４つのウェイクアップ信号を同時に含むことができるＷＵＲ  ＰＰＤＵ１８００を示す。３つのＷＵＲ  ＳＴＡ、ＷＵＲ  ＳＴＡ１、ＷＵＲ  ＳＴＡ２およびＷＵＲ  ＳＴＡ３は、それぞれ隣接する２０ＭＨｚチャネル１８１０、１８１２および１８１４上に割り当てられ、２つのＷＵＲ  ＳＴＡ、ＷＵＲ  ＳＴＡ４およびＷＵＲ  ＳＴＡ５は、２０ＭＨｚチャネル１８１６上に割り当てられる。さらに、ＷＵＲ  ＳＴＡ４およびＷＵＲ  ＳＴＡ５は、ＡＰによってグループ４の一部としてグループ化される。チャネル１８１０はＢＳＳのプライマリ２０ＭＨｚチャネルであり、チャネル１８１２はセカンダリ２０ＭＨｚチャネルであり、チャネル１８１４および１８１６は共にセカンダリ４０ＭＨｚチャネルを構成する。ＩＥＥＥ８０２．１１チャネルアクセスルールに従うと、ＷＵＲ  ＳＴＡ４またはＷＵＲ  ＳＴＡ５のいずれかをウェイクアップする必要がある場合は、それらのＳＴＡがセカンダリ４０ＭＨｚチャネルに割り当てられているため、ＡＰは、８０ＭＨｚ全体にわたりＷＵＲ  ＰＰＤＵ１８００を送信する必要がある。しかしながら、送信時にＡＰはＷＵＲ  ＳＴＡ１、ＷＵＲ  ＳＴＡ４、ＷＵＲ  ＳＴＡ５のみをウェイクアップする必要があり、ＷＵＲ  ＳＴＡ２およびＷＵＲ  ＳＴＡ３をウェイクアップする必要はない可能性がある。このような場合、ＡＰはチャネル１８１２および１８１４でウェイクアップ信号を送信する必要がないため、ウェイクアップ信号の代わりにチャネル１８１２、１８１４でヌル信号１８２４を送信することを提案する。レガシー８０２．１１プリアンブルおよびＢＰＳＫマークは、４つすべての２０ＭＨｚチャネルで送信され、ＷＵＲ  ＳＴＡ１  １８２０のウェイクアップ信号はチャネル１８１０で送信され、グループ４  １８２６のウェイクアップ信号はチャネル１８１６で送信される。グループに宛てられたＷＵＲフレームは可変長（ＶＬ）ＷＵＲフレームであり、図２に示されるフレームボディ２５０を含むことができるため、ウェイクアップ信号１８２６は、個別に宛てられたウェイクアップ信号１８２０よりも長い可能性が高い。したがって、チャネル１８１０上の送信はより早く終了し、これにより、ＷＵＲ  ＰＰＤＵ１８００のＷＵＲ部分のエネルギーレベルが低下し得る。これは、アイドルプライマリ２０ＭＨｚチャネルが、ＷＵＲ  ＰＰＤＵ１８００の送信の終了前に広帯域ＰＰＤＵの送信を開始する機会を別の８０２．１１に与え、それによってウェイクアップ信号に干渉を引き起こし得るため、特にリスクが高い。これを防ぐために、パディングフィールド１８２２は、ＷＵＲ  ＰＰＤＵ１８００の終了に送信終了時間を合わせるために、ウェイクアッ���信号１８２０の最後に追加される。パディングフィールド１８２２は、すべてが１、またはすべてが０の系列であってもよく、または１と０が交互に並ぶ系列であってもよく、ウェイクアップ信号１８２０のＷＵＲデータフィールドと同じデータ速度で送信される。４つすべての２０ＭＨｚチャネルのレガシー８０２．１１プリアンブルのＬ−ＳＩＧフィールドは、ＷＵＲ  ＰＰＤＵ１８００の長さと同じＰＰＤＵ長さを通知する。ヌル信号１８２４は、図１１、図１３、図１４、または図１５の文脈で上記にて説明したように、様々な方法で構成され得る。また、ヌル信号１８２４が明示的に定義されなくてもよく、ヌル信号が、空のＷＵＲチャネル上でエネルギーを生成するためにＡＰが任意のフォーマットで送信するものでもよい。例えば、ヌル信号１８２４は、すべてが１、またはすべてが０の系列、または１と０が交互に並ぶ系列、または、ＷＵＲ  ＰＰＤＵ１８００内の有効なウェイクアップ信号と同様の送信電力で送信される、任意の他のベンダー固有の信号であってもよい。図１８には示されていないが、１８２６がＷＵＲ  ＰＰＤＵ１８００に含まれる唯一の有効なウェイクアップ信号であり、ＡＰがＷＵＲ  ＳＴＡ１をウェイクアップする必要がない場合、ヌル信号１８２４がプライマリ２０ＭＨｚチャネル１８１０上で送信される可能性もある。
【００３９】
（第６の実施形態）
図１０において、中央４ＭＨｚ  ＷＵＲチャネルのいずれかの側のＯＦＤＭサブキャリアのいくつかをヌルチャネルとして定義し、その上でヌル信号を送信することを含む、ＷＵＲパケット中ＣＣＡ誤検出のリスクを低減するＷＵＲ  ＰＰＤＵの送信方法が提案された。ＷＵＲパケット中ＣＣＡ誤検出問題は、広帯域ＦＤＭＡ送信を使用するときにも関連するため、この方法は、広帯域ＦＤＭＡ送信方式にも拡張することができる。図１９は、図１０のチャネル１０５０と同様の様式で２０ＭＨｚチャネル１９０２、１９０４、１９０６および１９０８内にヌルチャネルが定義される例を示す。ＷＵＲ  ＳＴＡ６もチャネル１８１０上に割り当てられることを除き、図１８に説明されるように同様のシナリオが生じる。ＡＰが送信する必要のあるのは、ＷＵＲ  ＳＴＡ１への個別宛ウェイクアップ信号１８２０と、ＷＵＲ  ＳＴＡ６への個別宛ウェイクアップ信号１９２０と、グループ４  １９３０へのグループ宛ウェイクアップ信号のみである。グループ４  １９３０のウェイクアップ信号が十分に長い場合、ウェイクアップ信号１８２０にパディングを追加する代わりに、ＡＰがウェイクアップ信号１９２０をウェイクアップ信号１８２０に連結することも可能である。これは、ＷＵＲ  ＰＰＤＵ１９００のＷＵＲ部分のエネルギーレベルをチャネル１９０２上で維持すると同時にＷＵＲ送信効率を向上させるのに役立つ。図１９ではＦＤＭＡ中に連結が示されているが、コード領域多重化を行う場合にも連結が発生する可能性がある。高データ速度のウェイクアップ信号が低データ速度のウェイクアップ信号と多重化されるときに、低データ速度のＷＵＲ信号が連結長と等しいか、またはそれより長い場合、複数の高データ速度のウェイクアップ信号が連結され得る。加えて、ＷＵＲパケット中ＣＣＡ誤検出問題のリスクを低減するために、ＡＰはまた、チャネル１９０２および１９０４の中央の空のＷＵＲチャネルだけでなく、２０ＭＨｚチャネルのそれぞれのすべてのヌルチャネル上でヌル信号１９６２を送信する。これにより、ＷＵＲ  ＰＰＤＵ１９００のＷＵＲ部分中のエネルギーレベルが上昇し、それにより、他の８０２．１１デバイスのクリアチャネル評価（ＣＣＡ：Ｃｌｅａｒ  Ｃｈａｎｎｅｌ  Ａｓｓｅｓｓｍｅｎｔ）中にＷＵＲ  ＰＰＤＵ１９００が検出される確率が上昇する。
【００４０】
（第７の実施形態）
また、前述したように、ＡＰは、広帯域ＦＤＭＡ方式を使用してＷＵＲ  ＰＰＤＵを送信する前に、ＩＥＥＥ８０２．１１広帯域チャネルアクセスルールに従う必要がある。ＩＥＥＥ８０２．１１広帯域チャネルアクセスルールに従って、２０ＭＨｚよりも広いチャネルでＰＰＤＵを送信する前に、ＳＴＡは、
１．プライマリ２０ＭＨｚチャネルでバックオフ手順を実行する。
２．意図された送信時間の１ＰＩＦＳ前に、セカンダリチャネルのアクティビティがチェックされる（−７２ｄＢｍのミッドアンブル検出または−６２ｄＢｍのＥＤ）。送信時に、プライマリ２０ＭＨｚチャネルがアイドル状態であり、セカンダリチャネルのいずれにもアクティビティがない場合、広帯域ＰＰＤＵが送信され得る。しかしながら、プライマリ２０ＭＨｚチャネルがアイドル状態であるが、セカンダリチャネルにアクティビティがある場合、アクティビティがないプライマリチャネル（プライマリ２０、プライマリ４０、またはプライマリ８０）でのみ送信が許可される。
【００４１】
図２０を参照すると、チャネル１８１０はＢＳＳのプライマリ２０ＭＨｚチャネルであり、チャネル１８１２はセカンダリ２０ＭＨｚチャネルであり、チャネル１８１４および１８１６は共にセカンダリ４０ＭＨｚチャネルを構成する。ＷＵＲ  ＳＴＡへのチャネルの割り当ては、図１８に説明されるものと同様である。ＩＥＥＥ８０２．１１広帯域チャネルアクセスルールに従うと、ＷＵＲ  ＳＴＡ４またはＷＵＲ  ＳＴＡ５のいずれかをウェイクアップする必要がある場合、それらのＳＴＡがセカンダリ４０ＭＨｚチャネルに割り当てられているため、ＡＰは、４つの２０ＭＨｚチャネル１８１０、１８１２、１８１４および１８１６がすべてアイドル状態である場合にのみ、広帯域ＦＤＭＡ方式を使用してウェイクアップ信号２０６６を送信することができる。チャネル１８１６がアイドル状態であるが、他の３つの２０ＭＨｚチャネル１８１０、１８１２、または１８１４のうちのいずれか１つがアイドル状態でない場合でも、ＡＰはチャネル１８１６上で送信することができない。例えば、図２０では、チャネル１８１２は、ビジー（アイドルではない）であることが検出され、他の３つの２０ＭＨｚチャネル１８１０、１８１４および１８１６はアイドルである。ＩＥＥＥ８０２．１１広帯域チャネルアクセスルールが、チャネル１８１２上での送信を許可せず、結果としてチャネル１８１４およびチャネル１８１６上での送信も許可しないことの背後にある動機は、チャネル１８１２上で進行するいかなる送信に対しても干渉の可能性を防止することである。これは、ＡＰがセカンダリ４０ＭＨｚに割り当てられたＷＵＲ  ＳＴＡをウェイクアップするためには、８０ＭＨｚ全体がアイドル状態でなければならないことを意味する。プライマリ２０がアイドル状態になる確率よりも、８０ＭＨｚ全体がアイドル状態になる確率がはるかに低いため、ＡＰは頻繁にウェイクアップされる必要があるＷＵＲ  ＳＴＡをプライマリ２０に割り当てるべきである。
【００４２】
ＩＥＥＥ８０２．１１広帯域チャネルアクセスルールを変更して、以下のような広帯域ＦＤＭＡ送信方式の修正バージョンを許容すると、広帯域ＦＤＭＡ送信の効率が向上し得る；修正バージョンでは、ビジーであるセカンダリチャネルでの送信がスキップされ得るが、アイドル２０ＭＨｚチャネルでは、レガシープリアンブル、ＢＰＳＫマークおよびウェイクアップ信号を送信することが許可される。修正された広帯域ＦＤＭＡ送信方式は、パンクチャド広帯域ＦＤＭＡ送信方式と称され得、スキップされたチャネルは、パンクチャされていると言われることがある。図２０に、提案されたパンクチャド広帯域ＦＤＭＡ方式を使用して送信される例示的なＷＵＲ  ＰＰＤＵ２０００を示す。ＷＵＲ  ＳＴＡへのチャネルの割り当ては、図１８で説明されるものと同様である。ＡＰが送信する必要のあるのは、ＷＵＲ  ＳＴＡ１への個別宛ウェイクアップ信号２０６０と、グループ４  ２０６６へのグループ宛ウェイクアップ信号のみである。レガシー８０２．１１プリアンブルおよびＢＰＳＫマークは、ビジーであるチャネル１８１２上では送信がスキップされる一方、３つのアイドルチャネル上では送信される。ウェイクアップ信号２０６０はチャネル１８１０上で送信され、ウェイクアップ信号２０６６はチャネル１８１６上で送信される。グループに宛てられたＷＵＲフレームは、個別に宛てられたＷＵＲフレームよりも長いため、パディング２０６２がウェイクアップ信号２０６０の最後に追加される。チャネル１８１４上の空のＷＵＲチャネル上でヌル信号２０６４が送信される。ビジーであるセカンダリ２０ＭＨｚチャネル１８１２上では何も送信されないため、パンクチャド広帯域ＦＤＭＡ送信方式は、ＡＰが、ビジーであるチャネル１８１２上の任意の継続的な送信に干渉することなく、プライマリ２０ＭＨｚチャネルならびにセカンダリ４０ＭＨｚチャネル１８１４および１８１６上で送信することを可能にする。チャネル１８１２での送信はスキップされても、ＷＵＲ  ＰＰＤＵ２０００は、８０ＭＨｚ波形を用いて送信される。８０ＭＨｚ８０２．１１チャネル２０７０は、３１２．５  ＫＨｚのサブキャリア間隔で−１２８から１２７にインデックスされる２５６個のＯＦＤＭサブキャリアから構成される。２５６個のサブキャリアは、６４個の連続するサブキャリアの４つのグループに分割され得、各グループは２０ＭＨｚチャネルを構成する。例えば、｛−１２８，−６５｝に位置するサブキャリアはチャネル１８１０を構成し得、｛−６４，−１｝に位置するサブキャリアはチャネル１８１２を構成し得、｛０，６３｝に位置するサブキャリアはチャネル１８１４を構成し得、｛６４，１２７｝に位置するサブキャリアはチャネル１８１６を構成し得る。ＷＵＲ  ＰＰＤＵ２０００は、チャネル１８１２を構成する｛−６４，−１｝に位置するサブキャリアをヌリングする（すなわち、入力しない）ことによって、広帯域ＦＤＭＡ方式の修正されたバージョンを使用して送信され得る。ＷＵＲ  ＳＴＡにおいては、ウェイクアップ信号の受信は容易に認識でき、宛先であるＷＵＲ  ＳＴＡは、ＷＵＲ  ＰＰＤＵ２０００がパンクチャド広帯域ＦＤＭＡ方式を使用して送信されたことを認識する必要はない。���０ＭＨｚのチャネルをパンクチャする主な目的は、ビジーであるチャネルでの送信を回避することであるが、どのチャネルをパンクチャするかはＡＰが決定する。自身のＣＣＡの結果に加えて、ＡＰはまた、ＷＵＲ  ＳＴＡのチャネル状態の知識を利用して、どのチャネルをパンクチャするかを決定し得る。ＡＰはまた、ウェイクアップ信号を何も送信する必要がないチャネルにおいて、ヌル信号を送信する代わりに、そのチャネルをパンクチャすることを選択し得る。例えば、ＡＰはまた、ＷＵＲ  ＰＰＤＵ２０００を送信するときに、チャネル１８１２に加えてチャネル１８１４をパンクチャしてもよい。しかしながら、プライマリ２０ＭＨｚチャネルはパンクチャできない。ＡＰがプライマリ２０ＭＨｚチャネル上でいかなるウェイクアップ信号も送信する必要がなく、非プライマリチャネル上でのみウェイクアップ信号を送信する必要がある特殊な状況では、ＡＰはプライマリ２０ＭＨｚチャネル上でヌル信号を送信する一方で、ウェイクアップ信号を送信する必要がないチャネルをパンクチャし得る。例えば、ＡＰがＷＵＲ  ＳＴＡ１をウェイクアップする必要がない場合、ＡＰは、ＷＵＲ  ＰＰＤＵ２０００の送信時に、チャネル１８１０上でヌル信号２０６４を送信し、チャネル１８１２および１８１４をパンクチャし得る。
【００４３】
図２１は、パンクチャド広帯域ＦＤＭＡ送信方式として可能性のある、様々な異なる構成を示し、グレーアウトされた領域はパンクチャされたチャネルを意味する。ここでＰ２０はプライマリ２０ＭＨｚを指し、Ｓ２０はセカンダリ２０ＭＨｚを指し、Ｓ４０はセカンダリ４０ＭＨｚを指し、接尾記号１と２はセカンダリ４０ＭＨｚの前半および後半を区別する。同様にＳ８０は、セカンダリ８０ＭＨｚを指し、接尾記号１〜４は、セカンダリ８０ＭＨｚ内の４つの２０ＭＨｚチャネルを区別する。２１００は、パンクチャド広帯域ＦＤＭＡ送信方式を使用して送信される８０ＭＨｚ  ＷＵＲ  ＰＰＤＵの可能な構成である。基本的なルールは、プライマリ２０ＭＨｚチャネルをパンクチャすることができず、セカンダリ４０ＭＨｚ内の少なくとも１つの２０ＭＨｚチャネルでウェイクアップ信号を送信する必要がある、というものになる。ＷＵＲ  ＰＰＤＵ２１１０、２１１２および２１１４では、単一の２０ＭＨｚチャネルがパンクチャされ、ＷＵＲ  ＰＰＤＵ２１１６および２１１８では、２つの２０ＭＨｚチャネルがパンクチャされる。
【００４４】
網羅的ではないが、２１５０は、パンクチャド広帯域ＦＤＭＡ送信方式を使用して送信される１６０ＭＨｚまたは８０＋８０ＭＨｚのＷＵＲ  ＰＰＤＵの代表的な構成である。ここでの基本ルールは、プライマリ２０ＭＨｚチャネルをパンクチャすることができず、セカンダリ８０ＭＨｚ内の少なくとも１つの２０ＭＨｚチャネルでウェイクアップ信号を送信する必要がある、というものである。ＷＵＲ  ＰＰＤＵ２１５２、２１５４、２１５６は、１つまたは２つの２０ＭＨｚチャネルのみがパンクチャされる、よくありそうなケースを表すが、ＷＵＲ  ＰＰＤＵ２１６０および２１６２は、プライマリ８０ＭＨｚおよびセカンダリ８０ＭＨｚのそれぞれにおいて、単一の２０ＭＨｚチャネルのみがウェイクアップ信号を含む、極端なケースを表す。パンクチャド広帯域ＦＤＭＡ送信方式は、非プライマリチャネルに割り当てられたＷＵＲ  ＳＴＡにウェイクアップ信号を送信する際にＡＰに大きな柔軟性を提供することが分かる。
【００４５】
広帯域ＦＤＭＡ方式を使用して送信されるＷＵＲ  ＰＰＤＵに含まれるウェイクアップ信号の受信はＷＵＲ  ＳＴＡには容易に認識でき、ＷＵＲ  ＳＴＡはＷＵＲ  ＰＰＤＵに使用される帯域幅を認識する必要はないが、ＰＣＲモードの他の８０２．１１デバイスがＷＵＲ  ＰＰＤＵの帯域幅を認識することは有益である。８０２．１１デバイスは、主にプライマリ２０ＭＨｚチャネルで８０２．１１のプリアンブルを聴取するため、ＷＵＲ  ＰＰＤＵのレガシー８０２．１１のプリアンブルは、非プライマリ２０ＭＨｚチャネルでは見逃される可能性が高く、したがって、ＷＵＲパケット中ＣＣＡ誤検出問題は、非プライマリ２０ＭＨｚチャネルで発生する可能性が高い。図２２に、広帯域ＦＤＭＡ方式を用いて送信されるＷＵＲ  ＰＰＤＵ２２００の帯域幅を通知する方法を示す。ＢＰＳＫマーク２２２０の主な目的は、８０２．１１ｎデバイスがＷＵＲパケット２２００を８０２．１１ｎパケットであると誤って復号することを防止することであるが、ＷＵＲ  ＰＰＤＵ２２００の帯域幅を通知するために使用されてもよい。ＢＰＳＫマーク２２２０は、ＩＥＥＥ８０２．１１仕様書に指定されているレート１／２畳み込みエンコーダを使用してＢＣＣ（バイナリ畳み込みコード：Ｂｉｎａｒｙ  Ｃｏｎｖｏｌｕｔｉｏｎ  Ｃｏｄｅ）で符号化され、２４の情報ビットを含むことができる。可能性のある、ＢＰＳＫマークの２つのフォーマットを図２２に示す。ＢＰＳＫマーク２２２０の、可能性のある一つのフォーマット２２３０は、ＢＳＳを表す６ビットＢＳＳカラー２２３２、ＷＵＲ  ＰＰＤＵ２２００の帯域幅を示す２ビットＢＷフィールド２２３４、８ビットＣＲＣフィールド２２３６、および６ビットＢＣＣテールビットフィールド２２３８の４つのフィールドに分割される。表２２４０はＢＷフィールド２２３４の符号化を示し、値０、１、２および３はそれぞれ２０ＭＨｚ、４０ＭＨｚ、８０ＭＨｚ、１６０ＭＨｚ／８０＋８０ＭＨｚ  ＷＵＲ  ＰＰＤＵを表す。８ビットＢＷフィールド２２５４および４ビットＣＲＣフィールド２２５６を使用する、ＢＰＳＫマーク２２２０のもう一つのフォーマット２２５０も可能である。ＢＷフィールド２２５４は、ＷＵＲ  ＰＰＤＵの帯域幅内の２０ＭＨｚチャネルの状態をそれぞれ表す８ビットビットマップ２２６０を含む。１に設定されたビットは、２０ＭＨｚチャネルが情報を含むことを表し、０に設定されたビットは、パンクチャド２０ＭＨｚチャネルを表すか、または２０ＭＨｚチャネルがＷＵＲ  ＰＰＤＵの一部ではないことを表す。
【００４６】
前述のように、複数のＷＵＲチャネルがＢＳＳ内で動作している場合、ＷＵＲ  ＳＴＡは異なるＷＵＲチャネルに割り当てられ得る。ＷＵＲ  ＳＴＡは、ＷＵＲモードにある間、割り当てられたＷＵＲチャネルのみを聴取するため、そのＷＵＲ  ＳＴＡは、ＡＰが他のＷＵＲチャネルで送信したブロードキャストＷＵＲフレームを受信しない場合がある。図１７に記載されるような、ＦＤＭＡ方式を使用した複数のＷＵＲチャネルでのブロードキャストＷＵＲフレームの同時送信は、あり得る１つの解決策である。しかしながら、例えばＷＵＲチャネルが互いに隣接していない場合や、ＡＰまたはＷＵＲ  ＳＴＡがＦＤＭＡ能力を有していない場合など、いくつかのシナリオでＦＤＭＡ送信が不可能である場合がある。図２３では、ブロードキャストＷＵＲフレームがすべてのＷＵＲチャネル上で独立して送信される、代替的な解決策２３００が示される。３つのＷＵＲ  ＳＴＡ、ＷＵＲ  ＳＴＡ１、ＷＵＲ  ＳＴＡ２およびＷＵＲ  ＳＴＡ３は、それぞれＷＵＲ  ＣＨ１  ２３１０、ＷＵＲ  ＣＨ２  ２３１２およびＷＵＲ  ＣＨ３  ２３１４に割り当てられる。特定のケースとしてＷＵＲビーコンを例に取ると、ＢＳＳ全体に単一のＷＵＲビーコンを使用する代わりに、ＡＰは、各ＷＵＲチャネルに独立したＷＵＲビーコンを割り当てることができる。各ＷＵＲビーコンの送信時刻および周期は、各ＷＵＲチャネル上のＷＵＲ  ＳＴＡのニーズに適合するようにカスタマイズされ得、ＡＰは、図５ＡのＷＵＲ動作エレメント５００内の、特定のＷＵＲ動作チャネルセットのＷＵＲビーコン周期５３４およびＴＷＢＴＴオフセット５３６を、各ＷＵＲチャネル上のＷＵＲビーコンのパラメータをアドバタイズするのに使用してもよい。ＷＵＲビーコンに含まれる部分ＴＳＦも、異なるＷＵＲチャネルに対しては異なる解像度を有してもよい。ＷＵＲビーコン２３２２は、ＷＵＲ  ＢＩ１  ２３２４の周期で、ＴＷＢＴＴ２３２０、ＴＷＢＴＴ２３５０などで、ＷＵＲ  ＣＨ１  ２３１０上で送信され、ＷＵＲビーコン２３３２は、ＷＵＲ  ＢＩ２  ２３３４の周期で、ＴＷＢＴＴ２３３０、ＴＷＢＴＴ２３６０などで、ＷＵＲ  ＣＨ２  ２３１２上に送信され、ＷＵＲビーコン２３４２は、ＷＵＲ  ＢＩ３  ２３４４の周期で、ＴＷＢＴＴ２３４０、ＴＷＢＴＴ２３７０などで、ＷＵＲ  ＣＨ３  ２３１４上に送信される。ＡＰは、異なるＷＵＲチャネルに割り当てられたＷＵＲ  ＳＴＡの同期ニーズに応じて、ＷＵＲビーコン周期ＷＵＲ  ＢＩ１  ２３２４、ＷＵＲ  ＢＩ２  ２３３４およびＷＵＲ  ＢＩ３  ２３４４をカスタマイズし得る。例えば、ＷＵＲビーコン周期は、ＡＰと非常に緊密なクロック同期を必要とするＷＵＲ  ＳＴＡに対しては短くしてもよい（例えば、０．５秒）。ＷＵＲビーコンに含まれる部分ＴＳＦもまた、このような場合には、より高い解像度（例えば２μｓ）にしてもよい。同様に、ＡＰとの非常にタイトなクロック同期を必要としないＷＵＲ  ＳＴＡに対するＷＵＲビーコン周期は、比較的長くてもよい（例えば、１秒）。ＷＵＲビーコンに搭載されている部分ＴＳＦもまた、このような場合には、より低い解像度（例えば８μｓ）にしてもよい。
【００４７】
（アクセスポイントの構成）
図２４は、本開示に記載の送信方式を実装する例示的なＡＰのＰＣＲ２４００のブロック図である。ＡＰは、図１のＡＰ１１０であってもよい（ＰＣＲ２４００は、図１のＰＣＲ１１２であってもよい）。ＰＣＲ２４００はアンテナ２４０２に接続されており、８０２．１１信号の送受信およびＷＵＲ  ＰＰＤＵの送信に使用される。ＰＣＲ２４００は、ＲＦ／アナログフロントエンド２４１０、ＰＨＹ処理回路２４２０およびＭＡＣ処理回路２４３０から構成される。
【００４８】
ＲＦ／アナログフロントエンド２４１０は、アンテナ２４０２への／からのアナログ信号の転送を担当し、自動ゲイン制御（ＡＧＣ）、ローパスフィルタ（ＬＰＦ：Ｌｏｗ  Ｐａｓｓ  Ｆｉｌｔｅｒ）、アナログ対デジタル変換器（ＡＤＣ：Ａｎａｌｏｇ−ｔｏ−Ｄｉｇｉｔａｌ  Ｃｏｎｖｅｒｔｅｒ）などのサブ構成要素を含んでもよい。
【００４９】
ＰＨＹ処理回路２４２０は、ＰＨＹ層信号の処理を担当し、ＯＦＤＭ変調器／復調器２４２２、チャネルチューナ２４２４およびＷＵＲ  ＦＤＭＡモジュール２４２６からさらに構成される。ＯＦＤＭ変調器／復調器２４２２は、送信信号のＯＦＤＭ変調または受信したＯＦＤＭ信号の復調を担当する。送信側では、ＯＦＤＭ変調を８０２．１１ＰＰＤＵに適用すること以外に、ＯＦＤＭ変調器／復調器２４２２を使用して、選択されたＯＦＤＭサブキャリアを埋めることによってＷＵＲ信号（例えばＯＯＫ）を生成する。チャネルチューナ２４２４は、通信周波数を、送信または受信のための正しいチャネル、例えば、ＰＣＲ信号の送信または受信のためのＰＣＲチャネル、またはＷＵＲ  ＰＰＤＵＳの送信のための正しいＷＵＲ動作チャネルに設定するために使用される。ＡＰがＦＤＭＡ送信可能である場合、ＷＵＲ  ＦＤＭＡモジュール２４２６が存在し、ＦＤＭＡ送信が使用されるときにＷＵＲ信号の多重化に使用される。
【００５０】
ＭＡＣ処理回路２４３０は、再送信、フラグメント、アグリゲーションなどの様々なＭＡＣ関連処理を担当し、ＷＵＲフレームジェネレータ２４３２およびＷＵＲヌル信号ジェネレータ２４３４からさらに構成される。ＷＵＲフレームジェネレータ２４３２は、ＡＰによって送信されるＷＵＲ  ＰＰＤＵ内に含まれるＷＵＲフレームを生成し、正しい時刻に送信するようにスケジュールすることを担当している。ＷＵＲヌル信号ジェネレータ２４３４は、ＷＵＲチャネル上のＷＵＲフレームの代わりに送信されるヌル信号およびヌルチャネル上で送信されるヌル信号を生成することを担当している。
【００５１】
図２５は、図１のＡＰ１１０であってもよい例示的ＡＰ２５００のより詳細なブロック図である。ＡＰ２５００は、メモリ２５２０に接続された中央処理ユニット（ＣＰＵ）２５３０、二次ストレージ２５４０、１つまたは複数の無線インターフェース２５５０および他の有線通信インターフェース２５７０を含む。二次ストレージ２５４０は、関連する命令コード、データなどを永久に記憶するために使用される不揮発性コンピュータ可読記憶媒体であってもよい。
【００５２】
起動時に、ＣＰＵ２５３０は、命令コードならびに関連データを、実行のために揮発性メモリ２５２０にコピーしてもよい。命令コードは、ＡＰ２５００の動作に必要なオペレーティングシステム、ユーザアプリケーション、デバイスドライバ、実行コードなどであり得る。命令コードのサイズおよび、それにしたがって二次ストレージ２５４０およびメモリ２５２０の両方の記憶容量は、図２７のＳＴＡ２７００の記憶容量よりも相当大きくてもよい。
【００５３】
ＡＰ２５００はまた、電源２５１０を含んでもよく、電源２５１０は、ほとんどの場合、商用電源であってもよいが、場合によっては、例えば、カーバッテリーのような、ある種の大容量バッテリーであってもよい。有線通信インターフェース２５７０は、イーサネットインターフェース、または電力線インターフェース、または電話回線インターフェースなどであってもよい。
【００５４】
無線インターフェース２５５０は、セルラー通信のためのインターフェース、またはＺｉｇｂｅｅなどの短距離通信プロトコルのためのインターフェースを含んでもよく、またはＷＬＡＮインターフェースであってもよい。無線インターフェース２５５０はさらに、ＭＡＣモジュール２５５２およびＰＨＹモジュール２５６０を備えてもよい。ＡＰのＭＡＣモジュール２５５２は、図２７のＳＴＡ２７００よりも相当複雑であり得、多くのサブモジュールを備え得る。多くのサブモジュールの中には、ＭＡＣモジュール２５５２は、ＷＵＲフレームジェネレータ２５５６、ＰＣＲペイロードジェネレータ２５５４およびＷＵＲヌル信号ジェネレータ２２５８を含んでもよい。ＰＨＹモジュール２５６０は、ＭＡＣモジュールデータの送受信信号へ／からの変換を担当し、ＯＦＤＭ変調器／復調器２５６２、チャネルチューナ２５６４およびＷＵＲ  ＦＤＭＡモジュール２５６６からさらに構成される。無線インターフェースもまた、ＰＨＹモジュールを介して、無線媒体上の／からの無線通信信号の実際の送受信を担当する１つまたは複数のアンテナ２５０２に接続され得る。
【００５５】
本開示において、理解容易のために図２４および図２５に例示されていない多くの他の構成要素をＡＰが含んでもよい。本開示に最も関連する構成要素のみが例示される。
【００５６】
（ＳＴＡの構成）
図２６は、８０２．１１ＯＦＤＭ信号を送受信するＰＣＲ２６３０およびＷＵＲ  ＰＰＤＵを受信するＷＵＲｘ２６１０の２つの別個の無線部を備えたＷＵＲ  ＳＴＡ２６００を示す。
【００５７】
ＷＵＲｘ２６１０はさらに、アンテナ２６０２からのアナログ無線信号の受信を担当するＲＦ／アナログフロントエンド２６１２、ＷＵＲ  ＰＰＤＵのプリアンブル部分の検出および復号を担当するＷＵＲプリアンブル検出モジュール２６１４、ウェイクアップ信号のペイロード部分の復号および処理を担当するＷＵＲパケット復号／処理モジュール２６１６、ＷＵＲｘの正しいＷＵＲチャネルへのチューニングを担当するＷＵＲチャネルチューナ２６２２、ならびに、ブロードキャストＷＵＲフレームの受信のためにＷＵＲチャネルチューナ２６２２を正しくスケジュールすることを担当するＷＵＲチャネルスケジューラ２６２４などのいくつかのサブ構成要素から構成される。
【００５８】
ＰＣＲ２６３０は、ＲＦ／アナログフロントエンド２６３２、ＰＨＹ処理回路２６４０およびＭＡＣ処理回路２６４４から構成される。ＲＦ／アナログフロントエンド２６３２は、アンテナ２６０２への／からのアナログ信号の転送を担当し、自動ゲイン制御（ＡＧＣ）、ローパスフィルタ（ＬＰＦ）、アナログ対デジタル変換器（ＡＤＣ）などのサブ構成要素を含んでもよい。ＰＨＹ処理回路２６４０は、ＰＨＹ層信号の処理を担当し、送信ＯＦＤＭ信号の変調または受信ＯＦＤＭ信号の復調を担当するＯＦＤＭ変調器／復調器２６４２からさらに構成される。
【００５９】
図２７は、図１のＷＵＲ  ＳＴＡ１３０、ＷＵＲ  ＳＴＡ１４０、ＷＵＲ  ＳＴＡ１５０、またはＷＵＲ  ＳＴＡ１６０のいずれかであり得る例示的なＳＴＡ２７００の詳細なブロック図である。ＳＴＡ２７００は、メモリ２７２０に接続された中央処理ユニット（ＣＰＵ）２７３０、二次ストレージ２７４０、ＰＣＲインターフェース２７５０、およびＷＵＲインターフェース２７６０から構成される。ＰＣＲインターフェース２７５０およびＷＵＲインターフェース２７６０の両方は、同じ無線アンテナ２７０２に接続される。二次ストレージ２７４０は、関連する命令コード、データなどを永久に記憶するために使用される不揮発性コンピュータ可読記憶媒体であってもよい。
【００６０】
起動時に、ＣＰＵ２７３０は、命令コードならびに関連データを、実行のために揮発性メモリ２７２０にコピーし得る。命令コードは、ＳＴＡ２７００の動作に必要なオペレーティングシステム、ユーザアプリケーション、デバイスドライバ、実行コードなどであり得る。ＳＴＡ２７００はまた、電源２７１０を備えてもよく、例えば、リチウムイオン電池またはコインセル電池などであってもよいが、電源２７１０はまた、商用電源であってもよい。ＰＣＲインターフェース２７５０は、セルラー通信のためのインターフェース、またはＺｉｇｂｅｅなどの短距離通信プロトコルのためのインターフェースを備えてもよく、またはＷＬＡＮインターフェースであってもよい。
【００６１】
ＰＣＲインターフェース２７５０は、ＭＡＣモジュール２７５２およびＰＨＹモジュール２７５４から構成され、ＰＨＹモジュール２７５４はさらにＯＦＤＭ変調器／復調器２７５６から構成される。
ＷＵＲインターフェース２７６０は、アンテナ２７０２からアナログ無線信号を受信することを担当するＲＦ／アナログフロントエンド２７６２、ウェイクアップ信号のプリアンブル部分の検出および復号化を担当するＷＵＲプリアンブル検出モジュール２７６４、ウェイクアップ信号のペイロード部分の復号化および処理を担当するＷＵＲパケット復号／処理モジュール２７６６、ＷＵＲインターフェースを正しいＷＵＲチャネルにチューニングすることを担当するＷＵＲチャネルチューナ２７６８、ならびに、ブロードキャストＷＵＲフレームの受信のためにＷＵＲチャネルチューナ２７６８を正しくスケジューリングすることを担当するＷＵＲチャネルスケジューラ２７７０などのいくつかのサブ構成要素から構成される。
【００６２】
本開示において、理解容易のために図２６または図２７に例示されていない多くの他の構成要素をＳＴＡが含んでもよい。本開示に最も関連するこれらの構成要素のみが例示される。
【００６３】
本開示は、ソフトウェア、ハードウェア、またはハードウェアと連携するソフトウェアによって実現することができる。上述の各実施形態の説明で使用される各機能ブロックは、集積回路などのＬＳＩによって部分的または全体的に実現され得、各実施形態で説明される各プロセスは、同じＬＳＩまたはＬＳＩの組み合わせによって部分的または全体的に制御され得る。ＬＳＩは、個々にチップとして形成されてもよく、または機能ブロックの一部またはすべてを含むように１つのチップが形成されてもよい。ＬＳＩは、それに接続されたデータ入力および出力を含んでもよい。ここでのＬＳＩは、集積度の違いに応じてＩＣ、システムＬＳＩ、スーパーＬＳＩ、またはウルトラＬＳＩと称され得る。しかしながら、集積回路を実装する技術は、ＬＳＩに限定されず、専用回路、汎用プロセッサ、または専用プロセッサを使用することによって実現され得る。また、ＬＳＩ製造後にプログラミング可能なＦＰＧＡ  （フィールドプログラマブルゲートアレイ：Ｆｉｅｌｄ  Ｐｒｏｇｒａｍｍａｂｌｅ  Ｇａｔｅ  Ａｒｒａｙ）、ならびにＬＳＩ内部に配置された回路セルの接続および設定を再構成可能な再構成プロセッサを用いてもよい。本開示は、デジタル処理またはアナログ処理として実現することができる。半導体技術やその他の派生技術の進歩により、将来の集積回路技術がＬＳＩに代わる場合、将来の集積回路技術を用いて機能ブロックを統合することができる。バイオテクノロジーもまた、応用することができる。
【００６４】
半導体技術の進歩や技術に由来する他の技術により、ＬＳＩに代わる回路集積技術が現れた場合には、将来の集積回路技術を用いて機能ブロックを集積することができる。別の可能性は、バイオテクノロジーなどの応用である。
【００６５】
本開示は、通信機能を有する任意の種類の装置、デバイスまたはシステムによって実現することができ、これを通信装置と称する。
【００６６】
そのような通信装置のいくつかの非限定的な例としては、電話（例えば、携帯電話（セルラー）電話、スマートフォン）、タブレット、パーソナルコンピュータ（ＰＣ）（例えば、ラップトップ、デスクトップ、ネットブック）、カメラ（例えば、デジタルスチール／ビデオカメラ）、デジタルプレーヤ（デジタルオーディオ／ビデオプレーヤ）、ウェアラブルデバイス（例えば、ウェアラブルカメラ、スマートウォッチ、追跡デバイス）、ゲーム機、デジタルブックリーダ、遠隔保健／遠隔医療（リモートヘルスおよび医療）デバイス、ならびに通信機能を提供する車両（例えば、自動車、飛行機、船）およびこれらの様々な組み合わせが挙げられる。
【００６７】
通信装置は、携帯可能または移動可能であることに限定されず、スマートホームデバイス（例えば、家電、照明、スマートメータ、コントロールパネル）、自動販売機、およびその他任意の、「モノのインターネット（ＩＯＴ）」のネットワーク内の「モノ」など、携帯不能または固定的である任意の種類の装置、デバイス、またはシステムを含んでもよい。
【００６８】
通信は、例えば、セルラーシステム、無線ＬＡＮシステム、衛星システムなど、およびこれらの様々な組み合わせを介してデータを交換することを含んでもよい。
【００６９】
通信装置は、本開示に記載の通信の機能を実行する通信デバイスに接続されたコントローラまたはセンサなどの装置を含んでもよい。例えば、通信装置は、その通信装置の通信機能を実行する通信デバイスによって使用される制御信号またはデータ信号を生成する制御装置またはセンサを含んでもよい。
【００７０】
通信装置はまた、ベースステーション、アクセスポイントなどのインフラ設備および、上記の非限定的な例のような装置と通信または制御する任意の他の装置、デバイス、またはシステムを含んでもよい。
【００７１】
明細書、図面および要約を含む２０１８年１月１１日に出願された米国仮出願第６２／６１６，２７４号、ならびに２０１８年４月２５日に出願された日本特許出願第２０１８−０８４４１７号の開示は、参照によりその全体が本明細書に援用される。
【産業上の利用可能性】
【００７２】
本開示は、無線装置に適用されて、別の無線ネットワークへのより高速なローミングを実現するか、または初期リンク設定中のスキャンレイテンシを削減することができる。
【符号の説明】
【００７３】
１１０、２５００  ＡＰ
１２０  ＳＴＡ
１３０、１４０、１５０、１６０、２６００、２７００  ＷＵＲ  ＳＴＡ
１１２、１２２、１３２、１４２、１５２、１６２、２４００、２６３０、２７５０  ＰＣＲ
１３４、１４４、１５４、１６４、２６１０、２７６０  ＷＵＲｘ
２４０２、２５０２、２６０２、２７０２  アンテナ
２４１０、２６１２、２６３２、２７６２  ＲＦ／アナログフロントエンド
２４２０、２６４０  ＰＨＹ処理回路
２４２２、２５６２、２６４２、２７５６  ＯＦＤＭ変調器／復調器
２５６０、２７５４  ＰＨＹモジュール
２６２２、２７６８  ＷＵＲチャネルチューナ
２６２４、２７７０  ＷＵＲチャネルスケジューラ
２４３２、２５５６  ＷＵＲフレームジェネレータ
２４２４、２５６４  チャネルチューナ
２４３０、２６４４  ＭＡＣ処理回路
２５５２、２７５２  ＭＡＣモジュール
２５５４  ＰＣＲペイロードジェネレータ
２５１０、２７１０  電源
２５２０、２７２０  メモリ
２５３０、２７３０  ＣＰＵ
２５４０、２７４０  二次ストレージ
２５５０  無線Ｉ／Ｆ
２５７０  有線通信Ｉ／Ｆ
２６１４、２７６４  ＷＵＲプリアンブル検出モジュール
２６１６、２７６６  ＷＵＲパケット復号／処理モジュール
【図１】
2021510953.tif 000003
【図２】
2021510953.tif 000004
【図３】
2021510953.tif 000005
【図４】
2021510953.tif 000006
【図５Ａ】
2021510953.tif 000007
【図５Ｂ】
2021510953.tif 000008
【図６】
2021510953.tif 000009
【図７】
2021510953.tif 000010
【図８】
2021510953.tif 000011
【図９】
2021510953.tif 000012
【図１０】
2021510953.tif 000013
【図１１】
2021510953.tif 000014
【図１２】
2021510953.tif 000015
【図１３】
2021510953.tif 000016
【図１４】
2021510953.tif 000017
【図１５】
2021510953.tif 000018
【図１６】
2021510953.tif 000019
【図１７】
2021510953.tif 000020
【図１８】
2021510953.tif 000021
【図１９】
2021510953.tif 000022
【図２０】
2021510953.tif 000023
【図２１】
2021510953.tif 000024
【図２２】
2021510953.tif 000025
【図２３】
2021510953.tif 000026
【図２４】
2021510953.tif 000027
【図２５】
2021510953.tif 000028
【図２６】
2021510953.tif 000029
【図２７】
2021510953.tif 000030
【国際調査報告】
2021510953.tif 000031
2021510953.tif 000032